(57)【要約】【課題】  建築物の外回りのコーナー空間部を体裁良く覆うと共に、収納時には、コーナー位置の壁際部分へのコンパクトな収納を可能とすることにより、建築物のコーナー部分に対する装飾性や体裁性を飛躍的に高めると共に、コーナーオーニング装置としての技術的な興趣や有用性に富む、画期的で、斬新な製品を当業界へ提供する。【解決手段】  コーナーキャンバスを巻き取ったり、巻き戻すキャンバス巻取り軸を、インナーシャフトと、当該インナーシャフトの軸線方向へ移動可能に支持したアウターローラとから形成する。コーナーキャンバスを巻き取ったり、巻き戻す際に、当該コーナーキャンバスの裾部を支持するフロントバーを、折り畳み自在な揺動アームにより、斜め前方へ平行に押し出したり、斜め後方へ引き込むように構成する。【選択図】  図１
2008215072.tif 000002
【特許請求の範囲】
【請求項１】
コーナーキャンバス（Ｇ１〜Ｇ４）を巻き取ったり、巻き戻すキャンバス巻取り軸（Ｊ１〜Ｊ１３）を、インナーシャフト（１２，１２Ａ、１２Ｂ）と、当該インナーシャフト（１２，１２Ａ、１２Ｂ）の軸線方向へ移動可能に支持したアウターローラ（１３）とから形成し、
前記コーナーキャンバス（Ｇ１〜Ｇ４）を巻き取ったり、巻き戻す際に、当該コーナーキャンバス（Ｇ１〜Ｇ４）の裾部を支持するフロントバー（３６，３６Ａ）を、折り畳み自在な揺動アーム（４４，４５、Ｎ１，Ｎ２、Ｔ１，Ｔ２、Ｖ１，Ｖ２）により、斜め前方へ平行に押し出したり、斜め後方へ引き込むように構成したことを特徴とするコーナーオーニング装置。
【請求項２】
コーナーキャンバス（Ｇ１〜Ｇ４）と、
それをインナーシャフト（１２，１２Ａ、１２Ｂ）と、当該インナーシャフト（１２，１２Ａ、１２Ｂ）の軸線方向へ移動可能に支持したアウターローラ（１３）に巻き取ったり、巻き戻すキャンバス巻取り軸（Ｊ１〜Ｊ１３）と、
前記コーナーキャンバス（Ｇ１〜Ｇ４）を巻き取ったり、巻き戻す際に、当該コーナーキャンバス（Ｇ１〜Ｇ４）の裾部を支持するフロントバー（３６，３６Ａ）を、斜め前方へ平行に押し出したり、斜め後方へ引き込んで折り畳む揺動アーム（４４，４５、Ｎ１，Ｎ２、Ｔ１，Ｔ２、Ｖ１，Ｖ２）とから構成したことを特徴とするコーナーオーニング装置。
【請求項３】
コーナーキャンバス（Ｇ１〜Ｇ４）を、
矩形状のキャンバス本体部（Ｒ１）と、
その一方に張り出したキャンバス張出部（Ｒ２，Ｒ３）とからなる、ほぼ直角台形状の展開形態に形成してなる請求項１又は２に記載のコーナーオーニング装置。
【請求項４】
コーナーキャンバス（Ｇ１〜Ｇ４）のキャンバス頂辺（１，１Ａ）とキャンバス裾辺（２，２Ａ）を天地平行に形成し、
その一方を裾拡がりのキャンバス斜辺（３，５，５Ａ）に形成し、
その他方をほぼ鉛直なキャンバス垂辺（４）に形成してなる請求項１又は２に記載のコーナーオーニング装置。
【請求項５】
アウターローラ（１３）とフロントバー（３６，３６Ａ）との間に、連結ワイヤ（３４，３５）や連結ベルト（８７，８８、８７Ａ，８８Ａ）等の緊張部材を張設支持してなる請求項１又は２に記載のコーナーオーニング装置。
【請求項６】
請求項３に記載のコーナーキャンバス（Ｇ１〜Ｇ４）の巻き取り収納時には、揺動アーム（４４，４５、Ｎ１，Ｎ２、Ｔ１，Ｔ２、Ｖ１，Ｖ２）が後方に向けて回転することでフロントバー（３６，３６Ａ）を斜め後方へ平行移動し、
それと同時にアウターローラ（１３）が回転してキャンバス本体部（Ｒ１）を巻き取りながら、インナーシャフト（１２，１２Ａ、１２Ｂ）に案内されて当該インナーシャフト（１２，１２Ａ、１２Ｂ）の軸線方向の一方から他方へ後退移動し、
当該アウターローラ（１３）の後退移動により露呈したインナーシャフト（１２，１２Ａ、１２Ｂ）に、キャンバス張出部（Ｒ２，Ｒ３）を巻き取るように構成してなる請求項１又は２に記載のコーナーオーニング装置。
【請求項７】
請求項３に記載のコーナーキャンバス（Ｇ１〜Ｇ４）の巻き戻し展開時には、フロントバー（３６，３６Ａ）を揺動アーム（４４，４５、Ｎ１，Ｎ２、Ｔ１，Ｔ２、Ｖ１，Ｖ２）の回転により斜め前方に向けて平行に押し出し、
キャンバス巻取り軸（Ｊ１〜Ｊ１３）に巻き付けられたコーナーキャンバス（Ｇ１〜Ｇ４）を巻き戻しながら、アウターローラ（１３）をインナーシャフト（１２，１２Ａ、１２Ｂ）の軸線方向の他方から一方へ前進移動させることにより、キャンバス張出部（Ｒ２，Ｒ３）がコーナー空間部に張り出すように構成してなる請求項１又は２に記載のコーナーオーニング装置。
【請求項８】
揺動アーム（４４，４５、Ｔ１，Ｔ２）の一対を平行に支持し、
その内、一方の揺動アーム（４４、Ｔ１）の基端部を建築物のコーナー付近に取り付け、
その先端部をフロントバー（３６）の中間部付近に取り付け、
他方の揺動アーム（４５、Ｔ２）の基端部を、前記コーナー付近から適宜間隔を隔てた位置に取り付け、
その先端部を前記フロントバー（３６）の中間部付近から適宜間隔を隔てたもう一方の端部付近に取り付けてなる請求項１、２、６、７のいずれかに記載のコーナーオーニング装置。
【請求項９】
揺動アームが、伸縮揺動アーム（Ｔ１，Ｔ２）であって、
伸縮自在に嵌挿支持した後部アーム（６２）と前部アーム（６３）とで構成してなる請求項８に記載のコーナーオーニング装置。
【請求項１０】
フロントバー（３６Ａ）に、スライドレール（６５）を移動自在に嵌挿支持し、
当該スライドレール（６５）に揺動アーム（４４，４５）の先端部を取り付けてなる請求項１、２、５〜７のいずれかに記載のコーナーオーニング装置。
【請求項１１】
揺動アーム（４４，４５）の一対を平行に支持し、
フロントバー（３６Ａ）にスライドレール（６５）を移動自在に嵌挿支持し、
一方の揺動アーム（４４）の基端部を建築物のコーナー付近に取り付け、
その先端部を前記スライドレール（６５）の中間部又は一方の端部付近に取り付け、
他方の揺動アーム（４７）の基端部を前記コーナー付近から適宜間隔を隔てた位置に取り付け、
その先端部を前記スライドレール（６５）の中間部又は一方の端部付近から適宜間隔を隔てたもう一方の端部付近に取り付けてなる請求項１０に記載のコーナーオーニング装置。
【請求項１２】
揺動アームが、２段階動作で平行回転する一対の２段階揺動アーム（Ｎ１，Ｎ２）であって、
当該揺動アーム（Ｎ１，Ｎ２）を、折れ曲げ自在に連結した後部アーム（５９）と前部アーム（６０）とで形成し、
当該揺動アーム（Ｎ１，Ｎ２）の中間部を連接ロッド（６１）で連結してなる請求項１、２、６、７のいずれかに記載のコーナーオーニング装置。
【請求項１３】
一方の揺動アーム（Ｎ１）の後部アーム（５９）の基端部を、建築物のコーナー付近に取り付け、
その前部アーム（６０）の先端部をフロントバー（３６）の中間部付近に取り付け、
他方の揺動アーム（Ｎ２）の後部アーム（５９）の基端部を、前記コーナー位置から適宜間隔を隔てた位置に取り付け、
その前部アーム（６０）の先端部を前記フロントバー（３６）の中間部付近から適宜間隔を隔てたもう一方の端部付近に取り付けてなる請求項１２に記載のコーナーオーニング装置。
【請求項１４】
後部アーム（５９）が相対的に弱い弾力の付勢部材により回転し、
前部アーム（６０）が相対的に強い弾力の付勢部材により回転するように構成してなる請求項１２又は１３に記載のコーナーオーニング装置。
【請求項１５】
コーナーキャンバス（Ｇ１）をキャンバス巻取り軸（Ｊ１〜Ｊ１３）に巻き取る際には、
最初に、弱目の弾力で付勢した後部アーム（５９）の一対が、その弾性付勢力に抗して後方へ平行回転することにより、フロントバー（３６）を斜め後方へ平行移動させて当該後部アーム（５９）を折り畳み、
次いで、強目の弾力で付勢した前部アーム（６０）の一対が、その弾性付勢力に抗して後方へ平行回転することにより、フロントバー（３６）を更に斜め後方へ平行移動させ、２段階揺動アーム（Ｎ１，Ｎ２）をほぼ直線状に引き伸ばして折り畳むように構成してなる請求項１２〜１４のいずれかに記載のコーナーオーニング装置。
【請求項１６】
キャンバス巻取り軸（Ｊ１〜Ｊ１３）に巻き付けられたコーナーキャンバス（Ｇ１〜Ｇ４）を巻き戻す際には、
最初に、強目の弾力で付勢した前部アーム（６０）の一対を、その付勢力により前方の拡開方向へ所定の拡開角度まで平行回転することにより、フロントバー（３６）を斜め前方へ平行移動しながら押し出し、
次いで、弱目の弾力で付勢した後部アーム（５９）の一対を、所定の拡開角度まで平行回転することにより、フロントバー（３６）を更に斜め前方へ平行に押し出すように構成してなる請求項１２〜１４のいずれかに記載のコーナーオーニング装置。
【請求項１７】
請求項１又は２に記載のコーナーオーニング装置（Ｓ１〜Ｓ６）に、矩形キャンバス（Ｐ）とそのキャンバス巻取り軸（５１）を備えたオーニング装置（Ｑ）を組み合わせるに、
コーナーキャンバス巻取り軸（Ｊ１〜Ｊ１３）の中間部付近からもう一方の端部付近にかけての下部位置又は上部位置に、前記矩形キャンバス（Ｐ）のキャンバス巻取り軸（５１）の中間部付近から一方の端部寄りの部位をほぼ重ね合わせて取り付けてなるコーナーオーニング装置。
【請求項１８】
キャンバス巻取り軸（５１）に巻き取る矩形キャンバス（Ｐ）を、
当該矩形キャンバス（Ｐ）の裏面を内側にし、その表面を外側にして巻き取ることで上巻きし、
コーナーキャンバス巻取り軸（Ｊ１〜Ｊ１３）に巻き取るコーナーキャンバス（Ｇ１〜Ｇ４）を、
アウターローラ（１３）に取り付けたコーナーキャンバス（Ｇ１〜Ｇ４）のキャンバス頂辺（１）の表面を内側にし、その裏面を外側にして下側から巻き付けることで下巻きしてなる請求項１７に記載のコーナーオーニング装置。
【請求項１９】
キャンバス巻取り軸（５１）に巻き取る矩形キャンバス（Ｐ）を、
当該矩形キャンバス（Ｐ）の表面を内側にし、その裏面を外側にして下側から巻き取ることで下巻きし、
コーナーキャンバス巻取り軸（Ｊ１〜Ｊ１３）に巻き取るコーナーキャンバス（Ｇ１〜Ｇ４）を、
アウターローラ（１３）に取り付けたコーナーキャンバス（Ｇ１〜Ｇ４）のキャンバス頂辺（１）の裏面を内側にし、その表面を外側にして上側から巻き付けることで上巻きしてなる請求項１７に記載のコーナーオーニング装置。
【請求項２０】
請求項１又は２に記載のコーナーオーニング装置（Ｓ１〜Ｓ６）の２体を、建築物のコーナー位置の一方と他方に向かい合わせて取り付け、
それぞれのコーナーキャンバス巻取り軸（Ｊ１〜Ｊ１３）のアウターローラ（１３）とフロントバー（３６，３６Ａ）との間に、請求項３又は４に記載のコーナーキャンバス（Ｇ１〜Ｇ４）を取り付けてなるコーナーオーニング装置。
【請求項２１】
アウターローラ（１３）に固定したキャンバス頂辺（１Ａ）の一方の端部と、フロントバー（３６）に固定したキャンバス裾辺（２，２Ａ）の一方の端部を結ぶ線から外側に食み出した部分の垂れ下がりを防ぐため、向かい合わせたコーナーキャンバス（Ｇ２〜Ｇ４）のキャンバス斜辺（５、５Ａ）の下端部寄りの適所を伸縮具（１０）で連結してなる請求項２０に記載のコーナーオーニング装置。
【請求項２２】
伸縮揺動アーム（Ｔ１，Ｔ２）の一対を備えてなる請求項９に記載のコーナーオーニング装置（Ｓ３）の２体を、建築物のコーナー位置の一方と他方に向かい合わせて取り付け、
それぞれのコーナーキャンバス巻取り軸（Ｊ１〜Ｊ１３）のアウターローラ（１３）とフロントバー（３６，３６Ａ）との間に、請求項３又は４に記載のコーナーキャンバス（Ｇ１〜Ｇ４）を取り付け、
向かい合わせたフロントバー（３６）を突き合わせて固定するか、連結具（６７）で固定してなるコーナーオーニング装置。
【請求項２３】
キャンバス巻取り軸（Ｊ１〜Ｊ１３）を連動してコーナーキャンバス（Ｇ１）を巻き取る際には、
それぞれの伸縮揺動アーム（Ｔ１，Ｔ２）が、その弾性付勢力に抗して後方へ向かって平行回転すると共に、当該揺動アーム（Ｔ１，Ｔ２）の後部アーム（６２）と前部アーム（６３）が相対的に伸縮移動しながら後方回転し、
それと同時に、連結一体化した一方と他方のフロントバー（３６）を斜め後方の壁際部分へ向かって平行移動してなる請求項２２に記載のコーナーオーニング装置。
【請求項２４】
キャンバス巻取り軸（Ｊ１〜Ｊ１３）を連動して巻き戻し回転すると、それぞれの伸縮揺動アーム（Ｔ１，Ｔ２）が、その弾性付勢力により斜め前方の拡開方向へ伸縮移動しながら回転し、
連結一体化したフロントバー（３６）を斜め前方へ平行移動しながら押し出すように構成してなる請求項２２に記載のコーナーオーニング装置。
【請求項２５】
フロントバー（３６Ａ）にスライドレール（６５）を移動自在に嵌挿支持し、
当該スライドレール（６５）の中間部又は一方の端部ともう一方の端部に、揺動アーム（４４，４５）の先端部を取り付けてなるコーナーオーニング装置（Ｓ４）であって、
当該オーニング装置（Ｓ４）の２体を、建築物のコーナー位置の一方と他方に向かい合わせて対称的に取り付け、
それぞれのコーナーキャンバス巻取り軸（Ｊ１〜Ｊ１３）のアウターローラ（１３）とフロントバー（３６Ａ）との間に、請求項３又は４に記載のコーナーキャンバス（Ｇ１〜Ｇ４）を取り付け、
向かい合わせたフロントバー（３６Ａ）を突き合わせて固定するか、連結具（６７）で固定してなる請求項１０又は１１に記載のコーナーオーニング装置。
【請求項２６】
キャンバス巻取り軸（Ｊ１〜Ｊ１３）を連動してコーナーキャンバス（Ｇ１〜Ｇ４）を巻き取る際には、一方と他方の揺動アーム（４４，４５）の一対が、その弾性付勢力に抗して後方へ向かって回転し、
フロントバー（３６Ａ）に対してスライドレール（６５）が一旦、フロントバー（３６Ａ）の一方から他方へ後退移動した上で、フロントバー（３６Ａ）の他方から一方へ前進移動し、
それと同時に、連結一体化したフロントバー（３６Ａ）をコーナー部分へ引き寄せて壁面格納してなる請求項２５に記載のコーナーオーニング装置。
【請求項２７】
キャンバス巻取り軸（Ｊ１〜Ｊ１３）を連動して巻き戻す際には、一方と他方の揺動アーム（４４，４５）の一対が、その弾性付勢力により斜め前方の拡開方向へ平行回転し、
フロントバー（３６Ａ）を斜め前方のコーナー空間部に向けて平行移動しながら押し出すことにより、コーナーキャンバス（Ｇ１〜Ｇ４）をコーナー空間部に展開してなる請求項２５に記載のコーナーオーニング装置。
【請求項２８】
フロントバー（３６Ａ）に、案内ローラ（６６）を備えたスライドレール（６５）を移動自在に嵌挿支持してなる請求項１０、１１、２５のいずれかに記載のコーナーオーニング装置。
【請求項２９】
フロントバー（３６Ａ）の枠内部に、案内ローラ（６６）の案内溝（３６１）を形成し、
スライドレール（６５）に突設したレール突条（６５１）に、前記案内ローラ（６６）を軸受支持してなる請求項２８に記載のコーナーオーニング装置。
【請求項３０】
揺動アームが、屈伸作動する二つ折れ揺動アーム（Ｖ１，Ｖ２）であって、
当該揺動アーム（Ｖ１，Ｖ２）を、二つ折れ自在に連結した後部アーム（５９）と前部アーム（６０）とで形成し、
当該揺動アーム（Ｖ１，Ｖ２）の二つ折れ連結部に連接ロッド（６１）を差し渡して連結してなる請求項１、２、６、７のいずれかに記載のコーナーオーニング装置。
【請求項３１】
一方の揺動アーム（Ｖ１）の後部アーム（５９）の基端部を建築物のコーナー付近に取り付け、
その前部アーム（６０）の前端部をフロントバー（３６）の一方の端部寄り位置に取り付け、
他方の揺動アーム（Ｖ２）の後部アーム（５９）の基端部を、前記コーナー位置から適宜間隔を隔てた位置に取り付け、
その前部アーム（６０）の前端部をフロントバー（３６）の中間部寄りの位置に取り付けてなる請求項３０に記載のコーナーオーニング装置（Ｓ５）であって、
当該オーニング装置（Ｓ５）の２体を建築物のコーナー位置に向かい合わせて取り付け、
それぞれのコーナーキャンバス巻取り軸（Ｊ１〜Ｊ１３）のアウターローラ（１３）とフロントバー（３６，３６Ａ）との間に、請求項３又は４に記載のコーナーキャンバス（Ｇ１〜Ｇ４）を取り付け、
向かい合わせたフロントバー（３６）を突き合わせて固定するか、連結具（６７）で固定してなるコーナーオーニング装置。
【請求項３２】
キャンバス巻取り軸（Ｊ１〜Ｊ１３）を連動してコーナーキャンバス（Ｇ１〜Ｇ４）を巻き取る際には、それぞれの二つ折れ揺動アーム（Ｖ１，Ｖ２）が、その拡開付勢力に抗して斜め後方へ向かって二つ折れしながら後方回転し、
それと同時に、連結一体化したフロントバー（３６）を、コーナー空間部を等分する線と平行な後方へ向けて直線的に後退移動しながら、それぞれの正面壁（Ｗ１）と側面壁（Ｗ２）に向かって平行移動し、
やがて二つ折れ揺動アーム（Ｖ１，Ｖ２）が壁際部分に折り畳まれ、それと同時に連結一体化したフロントバー（３６）をコーナー部分へ引き寄せて壁面格納するように構成してなる請求項３０又は３１に記載のコーナーオーニング装置。
【請求項３３】
キャンバス巻取り軸（Ｊ１〜Ｊ１３）を連動してコーナーキャンバス（Ｇ１〜Ｇ４）を巻き取り回転すると、それぞれの二つ折れ揺動アーム（Ｖ１，Ｖ２）が、その弾性付勢力により前方の拡開方向へ回転し、
連結一体化したフロントバー（３６）を斜め前方ヘ向かって平行移動しながら押し出すことにより、コーナーキャンバス（Ｇ１）がコーナー空間部に展開してなる請求項３０又は３１に記載のコーナーオーニング装置。
【請求項３４】
向かい合わせたフロントバー（３６，３６Ａ）に、コーナー化粧パネル（６７Ａ）を取り付けてなる請求項２２、２５、３１のいずれかに記載のコーナーオーニング装置。
【発明の詳細な説明】
【技術分野】
【０００１】
本発明は、各種建築物や骨組み構造体等のコーナー部分を体裁良く覆うために使用するコーナーオーニング装置に関する。
【背景技術】
【０００２】
従来、可動式のオーニング装置は、建築物の外壁部分に軸受支持したキャンバス巻取り軸に、通常、壁際部分から前方へ向かって前傾状態に展開するキャンバスを、手動ハンドルや電動モータ等により巻き取ったり、巻き戻すキャンバス巻取り装置と、前記キャンバスの前端部を固定したフロントバーを、折り畳み自在な二つ折れ揺動アーム等により連結するキャンバス緊張装置とを組み合わせて構成され（例えば、下記の非特許文献１、２参照。以下、前者という）、その多くは、テラスや店舗外廻りの日除けや雨除けとして、或いは、建築物や店舗装飾の一環として施設され、種々の技術的な改良と熟成が図られている。
【０００３】
そこで、前者のオーニング装置を建築物の外廻りにレイアウトするに当たり、建築物のコーナー部の平面形態が、図１５（Ａ）に示す直交状や、（Ｂ）に示す面取りした形態や、（Ｃ）に示す鈍角状や、（Ｄ）に示す鋭角状の各形態を呈する場合、当該建築物の正面壁Ｗ１や側面壁Ｗ２や斜壁Ｗ３のいずれかと平面的に直交する範囲の外周部分に、長短様々な矩形状のキャンバスＰ（以下、矩形キャンバスという）を展開して覆うことになる。
【０００４】
他方、建築物のコーナー空間部を覆うため、従来、次の（ａ）〜（ｄ）に示す構成を備えた可動オーニング装置が提案されている（例えば、下記の特許文献１参照。以下、後者という）。
（ａ）、コーナー端部の固定ブラケットに、装置全体を組み込むオーニング支持枠を斜め前方へ張り出して支持し、ほぼ直角三角形状キャンバスの長辺を電動モータにより巻き取ったり、巻き戻す巻取りローラの２体を、オーニング支持枠の先後両端部に軸受支持する。
（ｂ）、拡開方向へ付勢した折畳みアームの基端部をベースパイプの中間付近に取り付け、その先端部のアームホルダーに三角形キャンバスの頂部を取り付ける。
（ｃ）、オーニング支持枠の先端部に化粧パネルを拡開自在に枢設し、当該化粧パネルの後方部の溝部に沿ってアームホルダーを摺動自在に支持する。
（ｄ）、オーニング支持枠の先端寄りをワイヤロープで吊り上げて支持し、また、巻上げ機によりコーナー端部の後部上方へ引き上げて、装置全体を倒立状態に格納する。
【非特許文献１】「オーニング販売マニュアル」、日本オーニング協会、平成１６年（２００４）１月、p.９−１１
【非特許文献２】「テクニカルマニュアル」（フランス製オーニング）[online]、株式会社ミヤハン、「２００２年６月２８日と２００４年６月９日検索」、インターネット＜URL:http://www.miyahan.co.jp/tecnicalm/index.html＞
【特許文献１】実公平４−４０３３６号公報
【発明の開示】
【発明が解決しようとする課題】
【０００５】
ところが、前者のオーニング装置では、前記の範囲外となって建築物外周に取り残されるコーナー空間部、例えば、図１５（Ａ）に示す矩形状の空間部Ｚ１や、（Ｂ）や（Ｃ）に示す鋭角状の空間部Ｚ２や、（Ｄ）に示す鈍角状の空間部Ｚ３を、体裁良く覆うことができない。
そこで、仮に、１体のキャンバス巻取り軸を正面壁Ｗ１のコーナー位置に取り付け、もう１体のキャンバス巻取り軸を上下に齟齬した上で、他方の側面壁Ｗ２や斜壁Ｗ３のコーナー端部から前方へ張り出せば、結果的には、図１５（Ａ）〜（Ｃ）に示すコーナー空間部Ｚ１〜Ｚ３を覆うことが可能となる。
【０００６】
ところが、斯様な小手先の手法では、建築物外周のコーナー空間部に対する装飾性や体裁性を損なうことになる。
特に、各種建築物におけるコーナー部分は、多くの場合、２方向の歩車道に面していたり、交差点に面しており、不特定多数人の目に触れる位置にあり、店舗として、また、広告宣伝効果に優れる等、営業上の好条件を兼ね備えている場所でもある。
そのような目立つ場所に組み込まれるオーニング装置が、コーナー空間部Ｚ１〜Ｚ３が欠落した状態でしか装置化せざるを得ないことでは、或いは、前記のような小手先の手法でしか対処できないことでは、可動式オーニング装置としての技術的な興趣や有用性に欠ける。
【０００７】
他方、後者のオーニング装置は、コーナー空間部に展開した三角キャンバスを、出隅部のコーナー端部で片持ち支持している為、コーナー端部に張り出した固定ブラケットに装置全体の負荷が集中する。また、オーニング支持枠をワイヤロープで吊り上げている為、キャンバス展開時における装置全体の左右揺動を惹き起こし易く、特に、風による影響を受け易い不安定なものである。その上、装置全体をワイヤロープで吊り上げ、コーナー端部に引き上げて鉛直に倒立格納する為、ワイヤロープの劣化切断の事態を考慮したとき頭上落下が懸念される。また、倒立格納により、装置全体の裏側がコーナー端部の前面に露呈することになり、格納時の体裁性を損なう。
【０００８】
そこで、本発明では、前記した技術課題に止まらず、新規製品を提供する上で想定される種々の技術課題にも対処することのできる発明内容を盛り込んだコーナーオーニング装置を提供する。
【課題を解決するための手段】
【０００９】
本発明のコーナーオーニング装置Ｓ１〜Ｓ６としては、請求項１に記載するように、コーナーキャンバスＧ１〜Ｇ４を巻き取ったり、巻き戻すキャンバス巻取り軸Ｊ１〜Ｊ１３を、インナーシャフト１２，１２Ａ、１２Ｂと、当該インナーシャフト１２，１２Ａ、１２Ｂの軸線方向へ移動可能に支持したアウターローラ１３とから形成し、前記コーナーキャンバスＧ１〜Ｇ４を巻き取ったり、巻き戻す際に、当該コーナーキャンバスＧ１〜Ｇ４の裾部を支持するフロントバー３６，３６Ａを、折り畳み自在な揺動アーム４４，４５、Ｎ１，Ｎ２、Ｔ１，Ｔ２、Ｖ１，Ｖ２により、斜め前方へ平行に押し出したり、斜め後方へ引き込むように構成したことを特徴とする。
【００１０】
言い換えれば、請求項２に記載するように、コーナーキャンバスＧ１〜Ｇ４と、それをインナーシャフト１２，１２Ａ、１２Ｂと、当該インナーシャフト１２，１２Ａ、１２Ｂの軸線方向へ移動可能に支持したアウターローラ１３に巻き取ったり、巻き戻すキャンバス巻取り軸Ｊ１〜Ｊ１３と、前記コーナーキャンバスＧ１〜Ｇ４を巻き取ったり、巻き戻す際に、当該コーナーキャンバスＧ１〜Ｇ４の裾部を支持するフロントバー３６，３６Ａを、斜め前方へ平行に押し出したり、斜め後方へ引き込んで折り畳む揺動アーム４４，４５、Ｎ１，Ｎ２、Ｔ１，Ｔ２、Ｖ１，Ｖ２を備えてなるコーナーオーニング装置Ｓ１〜Ｓ６を提供する。
【発明の効果】
【００１１】
これにより、各種建築物の外回りのコーナー空間部を含むコーナー部分を体裁良く覆うことができ、逆に、収納時には、コーナー位置の壁際部分へのコンパクトな収納に対処することができる。その結果、建築物のコーナー部分に対する装飾性や体裁性を飛躍的に高めると共に、コーナーオーニング装置としての技術的な興趣や有用性に富む、画期的で、斬新な製品を当業界へ提供することができる。
【００１２】
その際、コーナーキャンバスＧ１〜Ｇ４を巻き取ったり、巻き戻す巻取り軸Ｊ１〜Ｊ１３を、インナーシャフト１２，１２Ａ，１２Ｂと、当該インナーシャフト１２，１２Ａ，１２Ｂの軸線方向へ移動可能に支持したアウターローラ１３とから形成する。
それが為、キャンバス巻取り軸Ｊ１〜Ｊ１３を、建築物のコーナー部分から食み出すことなくコーナー位置に取り付けることができ、また、キャンバス巻取り軸Ｊ１〜Ｊ１３の軸長からほぼ食み出すことなく、コーナーキャンバスＧ１〜Ｇ４を巻き取ることができる。
【００１３】
本発明に取り付けるコーナーキャンバスＧ１〜Ｇ４を、矩形状のキャンバス本体部Ｒ１と、その一方に張り出したキャンバス張出部Ｒ２，Ｒ３とからなる、ほぼ直角台形状の展開形態とする。
言い換えれば、キャンバス頂辺１，１Ａとキャンバス裾辺２，２Ａを天地平行に形成し、その一方を裾拡がりのキャンバス斜辺３，５，５Ａに形成し、その他方をほぼ鉛直なキャンバス垂辺４とするコーナーキャンバスＧ１〜Ｇ４を取り付ける。
【００１４】
すると、図１６（Ａ）〜（Ｄ）に示すように、前記したコーナーキャンバスＧ１の２体を外壁Ｗ１〜Ｗ３のコーナー位置の一方と他方に、（Ａ）のように直交状に突き合わせて展開したり、（Ｂ）のようにレイアウトして展開することができる。
また、建築物のコーナー部が鈍角状や鋭角状である場合には、（Ｃ）や（Ｄ）のように、それを鈍角状や鋭角状に突き合わせて展開することができる。
更には、図１９（Ａ）〜（Ｃ）に示すコーナーキャンバスＧ２〜Ｇ４の場合には、図２０（Ａ）〜（Ｃ）、（ＡＡ）〜（ＣＣ）のように展開することができる。
その結果、コーナー空間部Ｚ１〜Ｚ３を含む建築物外周のコーナー付近を体裁良く覆うことができる。
【００１５】
尚、キャンバス生地の硬軟度合いや伸縮性、編成密度等の如何によっては、アウターローラ１３とフロントバー３６，３６Ａとの間に、連結ワイヤ３４，３５や連結ベルト８７，８８、８７Ａ，８８Ａ等の緊張部材を張設支持することが望ましい。
その場合には、キャンバス生地の如何を問わず、コーナーキャンバスＧ１〜Ｇ４の巻き取り時における歪みや面内変形を確実に防止し、アウターローラ１３の軸線方向への移動を円滑にする。
【００１６】
本発明の作用としては、コーナーキャンバスＧ１〜Ｇ４の巻き取り収納時には、揺動アーム４４，４５、Ｎ１，Ｎ２、Ｔ１，Ｔ２、Ｖ１，Ｖ２が後方に向けて回転することでフロントバー３６，３６Ａを斜め後方へ平行移動し、それと同時にアウターローラ１３が回転してキャンバス本体部Ｒ１を巻き取りながら、インナーシャフト１２，１２Ａ、１２Ｂに案内されて当該インナーシャフト１２，１２Ａ，１２Ｂの軸線方向の一方から他方へ後退移動し、当該アウターローラ１３の後退移動により露呈したインナーシャフト１２，１２Ａ、１２Ｂにキャンバス張出部Ｒ２，Ｒ３を巻き取る。
【００１７】
それとは逆に、コーナーキャンバスＧ１〜Ｇ４の巻き戻し展開時には、フロントバー３６，３６Ａを揺動アーム４４，４５、Ｎ１，Ｎ２、Ｔ１，Ｔ２、Ｖ１，Ｖ２の回転により斜め前方に向けて平行に押し出し、キャンバス巻取り軸Ｊ１〜Ｊ１３に巻き付けられたコーナーキャンバスＧ１〜Ｇ４を巻き戻しながら、アウターローラ１３をインナーシャフト１２，１２Ａ、１２Ｂの軸線方向の他方から一方へ前進移動させることにより、キャンバス張出部Ｒ２，Ｒ３がコーナー空間部に展開する。
前記のように機能することにより、コーナーキャンバスＧ１〜Ｇ４の巻き取り収納と、コーナー部分への巻き戻し展開が、安定して円滑、確実に行われる。
【００１８】
以下、コーナーオーニング装置の１体を、主に、建築物のコーナー位置に取り付ける場合の種々の従属発明を、以下の（ｐ１）〜（ｐ１０）に列記する。
（ｐ１）、揺動アーム４４，４５、Ｔ１，Ｔ２の一対を平行に支持し、その内、一方の揺動アーム４４、Ｔ１の基端部を建築物のコーナー付近に取り付け、その先端部をフロントバー３６の中間部付近に取り付け、他方の揺動アーム４５、Ｔ２の基端部を、前記コーナー付近から適宜間隔を隔てた位置に取り付け、その先端部をフロントバー３６の中間部付近から適宜間隔を隔てたもう一方の端部付近に取り付ける。
（ｐ２）、揺動アームを、伸縮摺動自在な一対の平行な伸縮揺動アームＴ１，Ｔ２とし、伸縮自在に嵌挿支持した後部アーム６２と前部アーム６３とで構成する。
（ｐ３）、前記したフロントバー３６Ａに、スライドレール６５を移動自在に嵌挿支持し、当該スライドレール６５に揺動アーム４４，４５の先端部を取り付ける。
（ｐ４）、この場合、揺動アーム４４，４５の一対を平行に支持し、フロントバー３６Ａにスライドレール６５を移動自在に嵌挿支持し、一方の揺動アーム４４の基端部を建築物のコーナー付近に取り付け、その先端部を前記スライドレール６５の中間部又は一方の端部付近に取り付け、他方の揺動アーム４７の基端部を前記コーナー付近から適宜間隔を隔てた位置に取り付け、その先端部を前記スライドレール６５の中間部又は一方の端部付近から適宜間隔を隔てたもう一方の端部付近に取り付ける。
【００１９】
前記した（ｐ１）〜（ｐ４）の場合には、主に、コーナーオーニング装置Ｓ１の１体が図３や図４に示すようにコーナー付近に展開され、図１０や図１１に示すように巻き取り収納される。また、伸縮揺動アームＴ１，Ｔ２の場合には、図３１に示すコーナーオーニング装置Ｓ３のように、また、フロントバー３６Ａにスライドレール６５を組み込んだ場合には、図３４に示すコーナーオーニング装置Ｓ４のように、それぞれコーナー付近の一方と他方に、或は、いずれか一方に体裁よく取り付けられ、コーナーキャンバスＧ１〜Ｇ４の展開と収納が円滑に行われる。
【００２０】
（ｐ５）、揺動アームが、２段階動作で平行回転する一対の２段階揺動アームＮ１，Ｎ２であって、当該揺動アームＮ１，Ｎ２を、折れ曲げ自在に連結した後部アーム５９と前部アーム６０とで形成し、当該揺動アームＮ１，Ｎ２の中間部を連接ロッド６１で連結する。
（ｐ６）、その際、一方の揺動アームＮ１の後部アーム５９の基端部を、建築物のコーナー付近に取り付け、その前部アーム６０の先端部をフロントバー３６の中間部付近に取り付け、他方の揺動アームＮ２の後部アーム５９の基端部を、前記コーナー位置から適宜間隔を隔てた位置に取り付け、その前部アーム６０の先端部をフロントバー３６の中間部付近から適宜間隔を隔てたもう一方の端部付近に取り付ける。
（ｐ７）、前記の場合、後部アーム５９が相対的に弱い弾力の付勢部材により回転し、前部アーム６０が相対的に強い弾力の付勢部材により回転するように構成する。
（ｐ８）、前記の場合、コーナーキャンバスＧ１をキャンバス巻取り軸Ｊ１〜Ｊ１３に巻き取る際には、最初に、弱目の弾力で付勢した後部アーム５９の一対が、その弾性付勢力に抗して後方へ平行回転することにより、フロントバー３６を斜め後方へ平行移動させて当該後部アーム５９を折り畳み、次いで、強目の弾力で付勢した前部アーム６０の一対が、その弾性付勢力に抗して後方へ平行回転することにより、フロントバー３６を更に斜め後方へ平行移動させ、２段階揺動アームＮ１，Ｎ２をほぼ直線状に引き伸ばして折り畳むように構成する。
（ｐ９）、それとは逆に、キャンバス巻取り軸Ｊ１〜Ｊ１３に巻き付けられたコーナーキャンバスＧ１〜Ｇ４を巻き戻す際には、最初に、強目の弾力で付勢した前部アーム６０の一対を、その付勢力により前方の拡開方向へ所定の拡開角度まで平行回転することにより、フロントバー３６を斜め前方へ平行移動しながら押し出し、次いで、弱目の弾力で付勢した後部アーム５９の一対を、所定の拡開角度まで平行回転することにより、フロントバー３６を更に斜め前方へ平行に押し出すように構成する。
（ｐ１０）、前記の場合、フロントバー３６を押圧付勢する２段階揺動アームＮ１，Ｎ２の基端部と先端部を結ぶ角度が、大凡７０〜８０度程度の拡開角度に支持し、その内、前部アーム６０が４５〜５０度程度を超えない揺動角度に、また、連接ロッド６１と後部アーム５９のなす揺動角度が１２０度程度を超えないように回転規制することが望ましい。
【００２１】
前記した（ｐ６）〜（ｐ１０）の構成により、２段階揺動アームＮ１，Ｎ２が図２８（Ａ）〜図２９（Ｅ）や、図３０（Ａ）〜（Ｅ）のように２段階動作することで、コーナーキャンバスＧ１〜Ｇ４の展開と収納が円滑に行われる。
【００２２】
また、本発明のコーナーオーニング装置Ｓ１〜Ｓ６と矩形キャンバスＰのオーニング装置Ｑとの組み合わせに関する従属発明として、次の（ｑ１）〜（ｑ３）を提供する。
（ｑ１）、コーナーオーニング装置Ｓ１〜Ｓ６に、矩形キャンバスＰとそのキャンバス巻取り軸５１を備えたオーニング装置Ｑを組み合わせるに、コーナーキャンバス巻取り軸Ｊ１〜Ｊ１３の中間部付近からもう一方の端部付近にかけての下部位置又は上部位置に、矩形キャンバスＰのキャンバス巻取り軸５１の中間部付近から一方の端部寄りの部位をほぼ重ね合わせて取り付ける。
（ｑ２）、キャンバス巻取り軸５１に巻き取る矩形キャンバスＰを、当該矩形キャンバス（Ｐ）の裏面を内側にし、その表面を外側にして巻き取ることで上巻きし、コーナーキャンバス巻取り軸Ｊ１〜Ｊ１３に巻き取るコーナーキャンバスＧ１〜Ｇ４を、アウターローラ（１３）に取り付けたコーナーキャンバス（Ｇ１〜Ｇ４）のキャンバス頂辺（１）の表面を内側にし、その裏面を外側にして下側から巻き付けることで下巻きする。
（ｑ３）、キャンバス巻取り軸５１に巻き取る矩形キャンバスＰを、当該矩形キャンバス（Ｐ）の表面を内側にし、その裏面を外側にして下側から巻き取ることで下巻きし、コーナーキャンバス巻取り軸Ｊ１〜Ｊ１３に巻き取るコーナーキャンバスＧ１〜Ｇ４を、アウターローラ（１３）に取り付けたコーナーキャンバス（Ｇ１〜Ｇ４）のキャンバス頂辺（１）の裏面を内側にし、その表面を外側にして上側から巻き付けることで上巻きする。
前記した（ｑ１）〜（ｑ３）のように構成することにより、各種建築物のコーナー空間部を含む外回りが、図１２〜図１４や図３３に示すように、恰も一体物のように統一的で、体裁性良く覆われる。
その際、特に、展開時におけるコーナーキャンバスＧ１〜Ｇ４と矩形キャンバスＰとの境界部分での段差が極力目立たないように配慮している。
【００２３】
次に、コーナーオーニング装置Ｓ１〜Ｓ６の２体を、主に、建築物のコーナー位置の一方と他方に向かい合わせて取り付け、そのコーナー空間部を含む外回りを覆う場合の種々の従属発明を、以下の（ｒ１）〜（ｒ１５）に列記する。
（ｒ１）、コーナーオーニング装置Ｓ１〜Ｓ６の２体を、建築物のコーナー位置の一方と他方に向かい合わせて取り付け、それぞれのコーナーキャンバス巻取り軸Ｊ１〜Ｊ１３のアウターローラ１３とフロントバー３６，３６Ａとの間には、図７（Ａ）に示すような直角台形状、或は、図１９（Ａ）〜（Ｃ）に示すような展開形態のコーナーキャンバスＧ１〜Ｇ４を取り付ける。
これにより、コーナー空間部を含む建築物外回りのコーナー付近の一方と他方が、図１と図２、図１２と図１３、図１５（Ａ）、（Ｃ）に示すように体裁良く覆われる。
【００２４】
（ｒ２）、その際、図１９（Ａ）〜（Ｃ）に示すような展開形態のコーナーキャンバスＧ２〜Ｇ４を取り付けた場合には、アウターローラ１３に固定したキャンバス頂辺１Ａの一方の端部と、フロントバー３６に固定したキャンバス裾辺２，２Ａの一方の端部を結ぶ線から外側に食み出した部分の垂れ下がりを防ぐため、向かい合わせたコーナーキャンバスＧ２〜Ｇ４のキャンバス斜辺５，５Ａ部分の下端部寄りの適所を伸縮具１０で連結する。
この場合には、コーナー空間部を含む建築物外回りの一方と他方が、図２０（Ａ）〜（Ｃ）、（ＡＡ）〜（ＣＣ）に示すように体裁良く覆われる。
【００２５】
（ｒ３）、伸縮揺動アームＴ１，Ｔ２の一対を備えてなるコーナーオーニング装置Ｓ３の２体を、建築物のコーナー位置の一方と他方に向かい合わせて取り付け、それぞれのコーナーキャンバス巻取り軸Ｊ１〜Ｊ１３のアウターローラ１３とフロントバー３６，３６Ａとの間にコーナーキャンバスＧ１〜Ｇ４を取り付け、向かい合わせたフロントバー３６を突き合わせて固定するか、連結具６７で固定する。
（ｒ４）、この場合、コーナーキャンバスＧ１を、それぞれのキャンバス巻取り軸Ｊ１〜Ｊ１３を連動して巻き取る際には、それぞれの伸縮揺動アームＴ１，Ｔ２が、その弾性付勢力に抗して後方へ向かって平行回転すると共に、当該揺動アームＴ１，Ｔ２の後部アーム６２と前部アーム６３が相対的に伸縮移動しながら後方回転し、それと同時に、連結一体化した一方と他方のフロントバー３６を斜め後方の壁際部分へ向かって平行移動する。
（ｒ５）、それとは逆に、キャンバス巻取り軸Ｊ１〜Ｊ１３を連動して巻き戻し回転すると、それぞれの伸縮揺動アームＴ１，Ｔ２が、その弾性付勢力により斜め前方の拡開方向へ伸縮移動しながら回転し、連結一体化したフロントバー３６を斜め前方へ平行移動しながら押し出すように構成する。
前記した（ｒ３）〜（ｒ５）の構成や作用により、コーナー空間部を含む建築物外回りの一方と他方が、図３２（Ａ）に示すように体裁良く覆われたり、コーナー寄りの壁際部分等へのコンパクトな収納に供される。
【００２６】
（ｒ６）、フロントバー３６Ａにスライドレール６５を移動自在に嵌挿支持し、当該スライドレール６５の中間部又は一方の端部ともう一方の端部に、揺動アーム４４，４５の先端部を取り付けてなるコーナーオーニング装置Ｓ４であって、当該オーニング装置Ｓ４の２体を、建築物のコーナー位置の一方と他方に向かい合わせて対称的に取り付け、それぞれのコーナーキャンバス巻取り軸Ｊ１〜Ｊ１３のアウターローラ１３とフロントバー３６，３６Ａとの間にコーナーキャンバスＧ１〜Ｇ４を取り付け、向かい合わせたフロントバー３６Ａの突き合わせて固定するか、連結具６７で固定する。
（ｒ７）、この場合、キャンバス巻取り軸Ｊ１〜Ｊ１３を連動してコーナーキャンバスＧ１を巻き取る際には、一方と他方の揺動アーム４４，４５の一対が、その弾性付勢力に抗して後方へ向かって回転し、フロントバー３６Ａに対してスライドレール６５が一旦、フロントバー３６Ａの一方から他方へ後退移動した上で、フロントバー３６Ａの他方から一方へ前進移動し、それと同時に、連結一体化したフロントバー３６Ａをコーナー部分へ引き寄せて壁面格納する。
（ｒ８）、それとは逆に、キャンバス巻取り軸Ｊ１〜Ｊ５を連動して巻き戻す際には、一方と他方の揺動アーム４４，４５の一対が、その弾性付勢力により斜め前方の拡開方向へ平行回転し、フロントバー３６Ａを斜め前方のコーナー空間部に向けて平行移動しながら押し出すことにより、コーナーキャンバスＧ１〜Ｇ４をコーナー空間部に展開させる。
（ｒ９）、その際、フロントバー３６Ａに、案内ローラ６６を備えたスライドレール６５を移動自在に嵌挿支持する。
（ｒ１０）、フロントバー３６Ａの枠内部には案内ローラ６６の案内溝３６１を形成し、スライドレール６５に突設したレール突条６５１に案内ローラ６６を軸受支持する。
前記した（ｒ６）〜（ｒ１０）の構成により、コーナー空間部を含む建築物の外回りが、図３６に示すように体裁良く覆われたり、壁際部分へのコンパクトな収納に供される。
【００２７】
（ｒ１１）、揺動アームが、屈伸作動する二つ折れ揺動アームＶ１，Ｖ２であって、当該揺動アームＶ１，Ｖ２を、二つ折れ自在に連結した後部アーム５９と前部アーム６０とで形成し、当該揺動アームＶ１，Ｖ２の二つ折れ連結部に連接ロッド６１を差し渡して連結する。
（ｒ１２）、その際、一方の揺動アームＶ１の後部アーム５９の基端部を建築物のコーナー付近に取り付け、その前部アーム６０の前端部をフロントバー３６の一方の端部寄りに取り付け、他方の揺動アームＶ２の後部アーム５９の基端部を、前記コーナー位置から適宜間隔を隔てた位置に取り付け、その前部アーム６０の前端部をフロントバー３６の中間部寄りの位置に取り付けてなるコーナーオーニング装置Ｓ５であって、当該オーニング装置Ｓ５の２体を建築物のコーナー位置に向かい合わせて取り付け、それぞれのコーナーキャンバス巻取り軸Ｊ１〜Ｊ１３のアウターローラ１３とフロントバー３６，３６Ａとの間にコーナーキャンバスＧ１〜Ｇ４を取り付け、向かい合わせたフロントバー３６を突き合わせて固定するか、連結具６７で固定する。
（ｒ１３）、この場合、キャンバス巻取り軸Ｊ１〜Ｊ１３を連動してコーナーキャンバスＧ１を巻き取る際には、それぞれの二つ折れ揺動アームＶ１，Ｖ２が、その拡開付勢力に抗して斜め後方へ向かって二つ折れしながら後方回転し、それと同時に、連結一体化したフロントバー３６を、コーナー空間部を等分する線と平行な後方へ向けて直線的に後退移動しながら、それぞれの正面壁Ｗ１と側面壁Ｗ２に向かって平行移動し、やがて二つ折れ揺動アームＶ１，Ｖ２が壁際部分に折り畳まれ、それと同時に一体化したフロントバー３６をコーナー部分へ引き寄せて壁面格納する。
（ｒ１４）、それとは逆に、キャンバス巻取り軸Ｊ１〜Ｊ４を連動してコーナーキャンバスＧ１を巻き取り回転すると、それぞれの二つ折れ揺動アームＶ１，Ｖ２が、その弾性付勢力により前方の拡開方向へ回転し、連結一体化したフロントバー３６を斜め前方ヘ向かって平行移動しながら押し出すことにより、コーナーキャンバスＧ１がコーナー空間部に展開する。
前記（ｒ１１）〜（ｒ１４）のように、一方と他方の二つ折れ揺動アームＶ１，Ｖ２が、蛙跳び風に屈伸作動するため、顕著な機能上の興趣を発揮すると共に、コーナー空間部を含む建築物の外回りが、図３７（Ａ）、（Ｃ）、図３８（Ａ）、（Ｃ）に示すように体裁良く覆われたり、壁際部分へのコンパクトな収納に供される。
【００２８】
（ｒ１６）、前記したコーナーオーニング装置Ｓ３〜Ｓ５の場合、向かい合わせて連結したフロントバー３６，３６Ａに、コーナー化粧パネル６７Ａを取り付けることができる。
それにより、図３３に示すように展開時のみならず、収納時における店舗広告や看板機能を効果的に発揮させることができる。
【発明を実施するための最良の形態】
【００２９】
本発明に係る可動式のコーナーオーニング装置Ｓ１〜Ｓ６は、コーナーキャンバスＧ１〜Ｇ４を巻き取ったり、巻き戻すキャンバス巻取り装置Ｍ１、Ｍ２と、当該キャンバスＧ１〜Ｇ４を展開して緊張支持するキャンバス緊張装置Ｋ１〜Ｋ６を有機的に組み合わせることにより構成される。
その内、図１〜図４、図１０〜図１４、図２０、図２８〜図３４、図３６〜図３８に示す第１実施例〜第５実施例までのオーニング装置Ｓ１〜Ｓ５は、キャンバス巻取り装置Ｍ１に手動や電動の駆動装置を構成し、キャンバス緊張装置Ｋ１〜Ｋ５を従動側とする場合の実施形態としている。
また、図４２と図４３に示す第６実施例のオーニング装置Ｓ６は、それらとは逆に、キャンバス緊張装置Ｋ６に手動や電動の駆動装置を構成し、キャンバス巻取り装置Ｍ２を従動側としている。
【コーナーオーニング装置の第１実施例について】
【００３０】
そこで、第1例のキャンバス巻取り装置Ｍ１と第1例のキャンバス緊張装置Ｋ１とからなる第1実施例のオーニング装置Ｓ１を、図１〜図１４に示す添付図面に基づいて順次説明する。
【キャンバス巻取り装置とその巻取り軸の第１例について】
【００３１】
先ず、キャンバス巻取り装置Ｍ１を説明するに先立って、その主要部を構成する図５と図８と図９に示す第１例のキャンバス巻取り軸Ｊ１を説明する。
１１はコーナーキャンバスＧ１を巻取り収納するケーシングであって、その内部にキャンバス巻取り軸Ｊ１が組み込まれ、各種建築物や骨組構造体等（以下、建築物という）のコーナー付近の外壁Ｗ１〜Ｗ３にほぼ水平状態に直接取り付けるか、適宜の支持ブラケット（図示せず）を介して外壁Ｗ１〜Ｗ３に間接的に固定するか、或いは、後記する各種揺動アームの基端部のブラケットに設置固定する。
キャンバス巻取り軸Ｊ１は、中空状のインナー回転軸１２と、当該回転軸１２の軸線方向へ摺動回転自在に嵌挿支持した円筒状のアウターローラ１３とからなる。
１４はケーシング１１の前面に開口形成したキャンバス引出口、１５，１６はケーシング１１の先後両端部に嵌め込んだエンドキャップであって、その内部に軸受部１５１，１６１を突設している。１７１、１７２はインナー回転軸１２の外周面を４等分する軸線方向に平行に形成した案内溝と案内突条、１８，１９はインナー回転軸１２の先後両端部に嵌め込んだエンドキャップであって、そのキャップ本体部をインナー回転軸１２の内周面とほぼ同形に形成し、キャップ蓋部に貫通固定した支軸１８１，１９１を、前記軸受部１５１，１６１に回転自在に嵌め込んでいる。
【００３２】
２０はエンドキャップ１８の支軸１８１に嵌合固定したウォーム歯車、２１はウォーム歯車２０と噛み合うウォームであって、そのウォーム回転軸２２をエンドキャップ１８に鉛直に軸受支持し、その下端部にフック２３を形成している。
２４，２５はアウターローラ１３の先後両端部に嵌め込んだ中空状のエンドキャップであって、そのキャップ本体部の内周面に、案内突起２６１と案内溝２６２が平行に形成され、インナー回転軸１２の案内溝１７１と案内突条１７２に摺動自在に嵌め込まれる。
これにより、インナー回転軸１２とアウターローラ１３が一体的に回転すると共に、アウターローラ１３がインナー回転軸１２に摺動案内されて後退移動したり、前進移動する。
２７はアウターローラ１３の底部に、その軸線方向に形成した嵌合溝、２７１，２７２は嵌合溝２７の先後位置に直交して形成した係合孔である。
尚、前記の実施例において、エンドキャップ１５，１６それ自体を、キャンバス巻取り軸Ｊ１の軸受用エンドブラケットとして、外壁Ｗ１〜Ｗ３から張り出して取り付けた場合には、ケーシング１１の必要性が任意なものとなる。
【コーナーキャンバスについて】
【００３３】
ここで、第１例のコーナーキャンバスＧ１の構成を、図７に示すように平面的に展開した形態に基づいて説明する。
コーナーキャンバスＧ１は、布製や合成樹脂製等のテント生地により、その展開形状をほぼ直角台形状の平面形態に形成され、矩形状のキャンバス本体部Ｒ１と、その一方に張り出した直角三角形状のキャンバス張出部Ｒ２とからなる。
その外形形状としては、キャンバス上縁部の頂辺１（以下、キャンバス頂辺という）とキャンバス下縁部の裾辺２（以下、キャンバス裾辺という）を天地平行に形成し、キャンバス裾辺２の先端部からキャンバス頂辺１の先端部にかけて傾斜角度４５度程度の斜辺３（以下、キャンバス斜辺という）を裾拡がりに形成し、また、キャンバス裾辺２の後端部からキャンバス頂辺１の後端部に向けて鉛直な垂辺４（以下、キャンバス垂辺という）を形成している。
尚、キャンバス斜辺３の傾斜角度は、原則的には４５度程度を基準とするものの、それ以上の例えば６０度程度としたり、場合によっては、図１９（Ｃ）のような７５度程度とすることもできる。
【００３４】
２８，２９はキャンバス頂辺１とキャンバス裾辺２に形成した袋状の通路であって、その内部にワイヤ３０，３１やチューブ、ロープ等の固定部材を挿通する。
３２，３３はキャンバス本体部Ｒ１の四隅部を斜めに結ぶ対角線上に形成した袋状の交差通路であって、その内部に連結ワイヤ３４，３５や連結ベルト、ロープ等の緊張部材を貫挿し、そのワイヤ先端部の係合片３４１，３５１を、図７（Ｃ）に示すように、交差通路３２，３３の表面引出口３２１，３３１から上方へ引き出し、ワイヤ末端部とその留め具３４２，３５２を、交差通路３２，３３の裏面引出口３２２，３３２から下方へ引き出す。
そこで、コーナーキャンバスＧ１をキャンバス巻取り軸Ｊ１に取り付けるには、先ず、表面引出口３２１，３３１から引き出した連結ワイヤ３４，３５の先端部の係合片３４１，３５１を、図８や図９（Ａ）に示すように、アウターローラ１３の係合孔２７１，２７２に嵌め込んで係合する。次いで、ワイヤ３０を挿通したキャンバス頂辺１を、アウターローラ１３の嵌合溝２７に嵌め込んで固定する。
【００３５】
３６はキャンバス裾辺２を固定するフロントバーであって、その枠上部と枠前面の上部位置に嵌合溝３７，３８を長手方向へ形成している。３９，４０はフロントバー３６上部の中間部付近と後端部に穿設した係合孔である。
そこで、裏面引出口３２２，３３２から引き出した連結ワイヤ３４，３５の末端部を、図８や図９（Ａ）に示すように、係合孔３９，４０に挿通し、引き出したコーナーキャンバスＧ１を適度な緊張状態に張設したところで、留め具３４２，３５２をビス固定する。
次いで、ワイヤ３１を挿通したキャンバス裾片２を、フロントバー３６の嵌合溝３７を嵌め込んで固定する。
４１はフロントバー３６に垂下形成した化粧スカートであって、その上縁部に形成した袋状の通路４２に、ワイヤ４３を挿通した上で、嵌合溝３８に嵌め込むことで固定する。
これにより、コーナーキャンバスＧ１のキャンバス巻取り装置Ｍ１が構成される。
【キャンバス緊張装置の第１例について】
【００３６】
次に、第１例のキャンバス緊張装置Ｋ１を説明する。
４４，４５は平行な一対の揺動アームであって、フロントバー３６を斜め前方のコーナー空間部へ向けて平行に押し出すように回転自在に付勢支持され、そのアーム基端部をピン枢支するブラケット４６，４７を、キャンバス巻取り軸Ｊ１の先端部で建築物のコーナー寄り位置と、その中間部付近でケーシング１１の底部位置の外壁Ｗ１〜Ｗ３に固定するか、或いは、壁際部分の先後方向に差し渡した支持バー（図示せず）に固定する。
４８，４９は揺動アーム４４，４５の先端部をピン枢支するブラケットであって、フロントバー３６の中間部付近と後端部の背面位置に、前記ブラケット４６，４７と同じ間隔を隔てて固定している。
そして、揺動アーム４４，４５の基端部と先端部のいずれか一方又は両方の枢軸部分には、適度なバネ弾性を有するスプリング（図示せず）が組み込まれ、その弾性付勢力により揺動アーム４４，４５の一対が拡開方向へ平行回転し、フロントバー３６を斜め前方のコーナー空間部に向けて平行に押し出す。
それとは逆に、コーナーキャンバスＧ１を巻き取る際には、揺動アーム４４，４５の一対が、その弾性付勢力に抗して従動回転することで、フロントバー３６を斜め後方の壁際部分へ向けて平行移動しながら引き込む。
【００３７】
尚、揺動アーム４４，４５は、その２体が同期して同一方向へ回転するように、適度な間隔を隔てて平行に取り付けているが、その際、揺動アーム４４，４５の間隔が、そのアーム長さより短い場合には、図１２と図１４に示す揺動アーム４４，４５のように、それぞれのアーム基端部寄りの位置を屈折形成することが望ましい。
この屈折部４４１，４５１が、揺動アーム４４，４５に対する壁際部分でのコンパクトな収納を可能とする。
【コーナーオーニング装置の作用について】
【００３８】
先ず、コーナーキャンバスＧ１をキャンバス巻取り軸Ｊ１に巻き取るには、フック２３に操作ハンドル（図示せず）を係合して手動により回転操作する。
すると、歯車２０，２１の噛み合いを介してインナー回転軸１２とアウターローラ１３が一体的に回転し、アウトローラ１３に固定したキャンバス頂辺１の表面を内側にし、裏面を外側にして下側から巻き付ける。即ち、図１０（Ｂ）、（Ｃ）や図１１（Ｂ）、（Ｃ）に示すようにコーナーキャンバスＧ１を下巻きする。
他方、揺動アーム４４，４５は、その弾性付勢力に抗して後方へ向けて従動回転し、フロントバー３６を斜め後方へ平行移動する。
それと同時に、キャンバス緊張装置Ｋ１の緊張力がキャンバスＧ１を介してアウターローラ１３に作用し、また、連結ワイヤ３４，３５による引張力がアウターローラ１３に作用し、それらの作用がアウターローラ１３に対する後方への摺動力に変換される。
それにより、アウターローラ１３がインナー回転軸１２の軸線方向へ後退移動する。
すると、図１０（Ａ）〜（Ｃ）や図１１（Ａ）〜（Ｃ）に示すように、キャンバス本体部Ｒ１がアウターローラ１３に徐々に巻き取られ、キャンバス張出部Ｒ２が、アウターローラ１３の後退移動に伴って露呈するインナー回転軸１２の外周部分に巻き取られる。
従って、コーナーキャンバスＧ１は、図１０（Ｄ）や図１１（Ｄ）に示すように、キャンバス巻取り軸Ｊ１の軸長からほぼ食み出すことなく巻き取られ、また、揺動アーム４４，４５は、壁際部分に倒伏状態に畳み込まれ、フロントバー３６と重ね合わされてコンパクトに収納される。
【００３９】
前記の場合、連結ワイヤ３４，３５は、フロントバー３６とアウターローラ１３を交差連結し、フロントバー３６の斜め後方への移動を受けてアウターローラ１３を後退摺動すべく引張力が作用する。
その為、コーナーキャンバスＧ１を巻き取る際に、キャンバス本体部Ｒ１を歪ませたり、面内変形を引き起こすことが防止され、コーナーキャンバスＧ１の円滑で、規則的な巻取りを可能とする。
この点、連結ワイヤ３４，３５で交差連結しない場合には、キャンバス生地の硬軟度合いや伸縮性、編成密度等の影響を受けることで、キャンバス本体部Ｒ１が歪んだり、面内変形を惹き起こし易くなる。
その結果、コーナーキャンバスＧ１の巻取りを不規則としたり、アウターローラ１３に対する円滑な後退移動が損なわれる等の弊害が想定される。
【００４０】
次に、前記とは逆に、キャンバス巻取り軸Ｊ１に巻き取られたコーナーキャンバスＧ１を、建築物外周のコーナー空間部に向けて展開する場合には、操作ハンドルを前記とは逆方向へ回転操作する。
すると、壁際部分に畳み込まれた２体の揺動アーム４４，４５の弾性付勢力が解放され、その押圧付勢力で揺動アーム４４，４５が拡開方向へ付勢回転し、フロントバー３６を斜め前方のコーナー空間部へ向けて平行移動して押し出す。
それと同時に、インナー回転軸１２とアウターローラ１３が一体的に逆回転し、キャンバス巻取り軸Ｊ１に巻き取られたコーナーキャンバスＧ１を巻き戻しながら、また、フロントバー３６に対して作用する揺動アーム４４，４５の弾性付勢力と、キャンバスＧ１の緊張力、並びに、巻き戻される連結ワイヤ３４，３５の引張力により、アウターローラ１３に対する前進方向への摺動力が作用し、当該アウトローラ１３をインナー回転軸１２に沿って前進移動させながら逆回転する。
【００４１】
斯様に、揺動アーム４４，４５の弾性付勢力によるフロントバー３６の斜め前方への押し出しと、インナー回転軸１２とアウターローラ１３の一体的な逆回転と、アウターローラ１３の前進移動により、コーナーキャンバスＧ１が斜め前方のコーナー空間部へ円滑に押し出される。
従って、２体のコーナーオーニング装置Ｓ１を、図１や図２に示すように、正面壁Ｗ１のコーナー位置と側面壁Ｗ２のコーナー位置に直交状に突き合わせて取り付け、それぞれのキャンバス巻取り軸Ｊ１に巻き取られたコーナーキャンバスＧ１を巻き戻し作動する。
それにより、２体のコーナーキャンバスＧ１が斜め前方へ引き出され、向かい合わせた状態に展開されることにより、コーナー空間部Ｚ１〜Ｚ３を含む建築物の外回りが体裁良く覆われる。
【００４２】
尚、前記の場合は、インナー回転軸１２を手動で回転操作したが、図５と図８と図９（Ｂ）に示す回転軸２２を電動モータ（図示せず）により正逆回転したり、或いは、ウォーム歯車２０に代えて平歯車を取り付け、当該平歯車に駆動歯車を噛み合わせ、当該駆動歯車を電動モータ（図示せず）により正逆回転させることもできる。
【従来構造のオーニング装置との組み合わせについて】
【００４３】
ところで、本発明に係るオーニング装置Ｓ１の後半部には、図１２〜図１４に示すように、矩形キャンバスＰを展開したり、巻き取る従来構造のオーニング装置Ｑが組み合わされる。
同図において、５１はケーシング５２に内蔵したキャンバス巻取り軸であって、矩形キャンバスＰの基端部が取り付けられ、そのキャンバス引出口はケーシング５２の上部位置に開口している。５３はキャンバスＰの前端部を固定するフロントバー、Ｌ１，Ｌ２は一対の二つ折れ揺動アームであって、スプリングやワイヤ等により二つ折れ揺動アームＬ１，Ｌ２を押し広げる方向へ弾性付勢している。
従来構造のオーニング装置Ｑは、そのケーシング５２の先端寄りの部位を、本発明に係るオーニング装置Ｓ１のケーシング１１の後半底部位置にほぼ重ね合わせて取り付け、二つ折れ揺動アームＬ１，Ｌ２の基端部を外壁Ｗ１〜Ｗ３、その他に左右の間隔を隔てて固定する。
そこで、手動ハンドルや電動モータにより、キャンバス巻取り軸５１を巻き取り回転すると、当該巻取り軸５１に矩形キャンバスＰの裏側を内側にし、表面側を外側にして巻き取ることで上巻きすると共に、二つ折れ揺動アームＬ１，Ｌ２がその弾性付勢力に抗して二つ折れされて内側へ折り畳まれ、フロントバー５３を壁際部分へ向けて平行移動することで収納される。
斯様に、本発明のコーナーオーニング装置Ｓ１と、従来構造のオーニング装置Ｑとを組み合わせてレイアウトすることにより、各種建築物のコーナー空間部を含む外廻りが、恰も一体物のように統一的に体裁性良く覆われる。
【００４４】
前記の場合には、コーナーキャンバスＧ１を下巻きし、矩形キャンバスＰを上巻きすることで、展開時における両キャンバスＧ１、Ｐの境界部分での段差が目立たないように配慮しているが、それとは逆に、オーニング装置Ｑのケーシング５２と、本発明のオーニング装置Ｓ１のケーシング１１との重ね合わせ状態を上下変更し、コーナーキャンバスＧ１を上巻きし、矩形キャンバスＰを下巻きするように組み合わせることもできる。
【キャンバス巻取り軸の第２例について】
【００４５】
次に、インナー回転軸１２を電気的に駆動する第２例のキャンバス巻取り軸Ｊ２の構成を、図１７（Ａ）、（Ｂ）により説明する。
同図において、５４はインナー回転軸１２の後方部に挿通してなる円柱状の電動モータであって、その先端部にモータ出力軸５４１を、後端部に固定用軸部５４２をそれぞれ突設している。５５はインナー回転軸１２に嵌挿する凹凸面を備えた軸受ソケットであって、その軸孔５５１にモータ出力軸５４１が嵌合する。
１９Ｃはインナー回転軸１２の後端部に嵌挿するエンドキャップであって、そのキャップ本体部の円形孔１９４に電動モータ５４の本体後部位置を軸受支持する。
そこで、モータ出力軸５４１に軸受ソケット５５を嵌合固定した上で、電動モータ５４をインナー回転軸１２の後部位置に挿通し、他方、電動モータ５４の本体後部位置にエンドキャップ１９Ｃを挿通した上で、当該キャップ１９Ｃをインナー回転軸１２の後端部に嵌め込み、電動モータ５４の軸部５４２をエンドキャップ１６の軸受部１６１に嵌合固定する。これにより、インナー回転軸１２の内部に電動モータ５４が組み込まれる。
従って、電動モータ５４を駆動すると、その出力軸５４１と軸受ソケット５５とインナー回転軸１２が一体的に正逆回転し、これによりコーナーキャンバスＧ１の巻き取りと巻き戻し作業を自動化、省力化する。
前記の場合には、電動装置をインナー回転軸１２の後方部に組み込んだが、当該回転軸１２の先端寄りの位置に組み込むこともできる。
【オーニング装置の連動装置について】
【００４６】
前記の場合、建築物のコーナー位置に２体のコーナーオーニング装置Ｓ１を向かい合わせ、それぞれのキャンバス巻取り軸Ｊ１、Ｊ２を手動回転したり、電動回転する場合について説明したが、それを連動させるには、図１８（Ａ）、（Ｂ）に示すような手動装置を組み込んで対処することになる。
同図において、５７は直角に曲成したコーナーキャップであって、その内部を軸受部５７１により間仕切り形成し、コーナーキャップ５７の一方と他方に、キャンバス巻取り軸Ｊ１を組み込んでなるケーシング１１を嵌め込むと共に、直交状に突き合わせたインナー回転軸１２の支軸１８１を軸受部５７１にそれぞれ支持する。
軸受部５７１の背面後部位置には、フック２３を備えた回転軸２２を鉛直に軸受支持し、当該回転軸２２の上部位置に嵌め込んだウォーム２１と、一方と他方のインナー回転軸１２の支軸１８１に嵌合したウォーム歯車２０をそれぞれ噛み合わせる。
これにより、正面壁Ｗ１と側面壁Ｗ２に向かい合わせた２体のキャンバス巻取り軸Ｊ１が連動して正逆回転し、それぞれのコーナーキャンバスＧ１の巻き取り、巻き戻しが連動して行われる。
【００４７】
尚、図１８（Ａ）、（Ｂ）には、２体のキャンバス巻取り軸Ｊ１を、建築物のコーナー位置に直交状に突き合わせる場合で図示したが、コーナーキャップ５７の曲げ角度を、鈍角状や鋭角状のキャップ形態に成形すれば、建築物のコーナー部分が、図１６（Ｃ）、（Ｄ）に示す鈍角状や鋭角状のいずれの場合にも同様に対応することができる。
また、前記した連動用の回転軸２２を電動モータ（図示せず）により正逆回転することもできる。
無論、図１７（Ａ）、（Ｂ）のような電動装置を、インナー回転軸１２に内蔵したキャンバス巻取り軸Ｊ２とする場合には、それを電気的に同期させることで、コーナー位置に取り付けた２体のコーナーオーニング装置Ｓ１を連動させることができるから、図１８（Ａ）、（Ｂ）に示すような手動又は電動の連動装置を組み込む必要はない。
【コーナーキャンバスの変形例について】
【００４８】
ところで、前記したキャンバス緊張装置Ｋ１の場合には、コーナーキャンバスＧ１の巻き取り時における作動の円滑性と、アウターローラ１３の後退移動時の円滑性等を考慮したとき、揺動アーム４４，４５の拡開角度が、実用的には、最大７５度〜８０度程度を限界としている。
その為、コーナーキャンバスＧ１の斜め前方への張り出し長さが、揺動アーム４４，４５の拡開角度に制約を受け、その結果、向かい合わせて展開した一方と他方のキャンバス相互の間に２０ｃｍ前後の隙間が形成される。
そこで、揺動アーム４４，４５の拡開角度を変えないで、相対向するキャンバス斜辺の間隙を極力狭めるため、図１９（Ａ）〜（Ｃ）に示すような３態様のコーナーキャンバスＧ２〜Ｇ４を提供する。
その内、図（Ａ）のキャンバスＧ２の場合は、アウターローラ１３の最先端位置を基準に、想像線で示す第１例のキャンバスＧ１のキャンバス斜辺３と平行なキャンバス斜辺５を形成し、他方、キャンバス裾辺２の先端部からキャンバス垂辺６を鉛直に立ち上げ、両辺５、６が交わる鈍角状山部に連結用通孔７を穿設している。
それに併せて、増長したキャンバス本体部Ｒ１に交差通孔３２，３３をＸ字状に交差形成し、また、キャンバス裾辺２の先端部を鉛直に切り落とした縦向き台形状のキャンバス張出部Ｒ３に形成している。
また、図（Ｂ）のキャンバスＧ３の場合は、前記と同様にキャンバス斜辺５を形成し、キャンバス裾辺２の先端部から斜め上方に向かうキャンバス斜辺８を形成し、両辺５、８のなす角度をほぼ直角に形成し、その両辺が交わる直角山部に連結用通孔７を穿設している。
【００４９】
従って、図１９（Ａ）と（Ｂ）に示すキャンバスＧ２、Ｇ３の場合には、アウターローラ１３に固定したキャンバス頂辺１Ａの先端部と、フロントバー３６に固定したキャンバス裾辺２の先端部とを結ぶ線から外側に食み出した部分が、キャンバス展開時やキャンバス巻取り時に、格別に拘束しなければ下方へ垂れ下がることになる。
そこで、図１８（Ａ）、（Ｂ）に示すように、正面壁Ｗ１と側面壁Ｗ２のコーナー部分に取り付けた２体のキャンバス巻取り軸Ｊ１を連動自在に構成した上で、向かい合わせた２体のキャンバスＧ２、Ｇ３のキャンバス張出部Ｒ３の通孔７相互間を、ゴム紐やコイルスプリング等の伸縮具１０により連結する。
これにより、図２０（Ａ）、（ＡＡ）、（Ｂ）、（ＢＢ）に示すように、前記した食み出し部分が伸縮具１０により相互に引っ張られ、揺動アーム４４，４５の弾性付勢力により、キャンバス本体部Ｒ１とキャンバス張出部Ｒ３を緊張状態に維持したまま、それぞれのキャンバス巻取り軸Ｊ１への巻き取りや巻き戻しが連動して行われる。
その結果、コーナーキャンバスＧ１の場合に比して、対向するキャンバス斜辺５相互間の隙間をより一段と狭めることができる。
【００５０】
また、図１９（Ｃ）のキャンバスＧ４の場合は、図（Ａ）や図（Ｂ）の場合と異なり、フロントバー３６の長さを相対的に短くし、当該フロントバー３６に固定したキャンバス裾辺２Ａの先端部と、アウターローラ１３に固定したキャンバス頂辺１Ａの先端部を結ぶ斜辺をキャンバス山折れ線９に形成する。
また、キャンバス頂辺１Ａの先端部へ向かって傾斜角度５０度程度のキャンバス斜辺５Ａと、キャンバス裾辺２Ａの先端部から斜め上方に向かうキャンバス斜辺８Ａのなす角度をほぼ直角に形成し、この相対向する直角山部を伸縮具１０で連結する。
すると、コーナーキャンバスＧ４が巻き戻される際には、キャンバス山折れ線９から徐々に山折れされながら展開される。
それとは逆に、キャンバス張出部Ｒ３をキャンバス巻取り軸Ｊ１のインナー回転軸１２に巻き取る際には、山折れされた基端部寄りを引き上げてキャンバス本体部Ｒ１と面一の展開面に緊張しながら巻き取られる。
これにより、図２０（Ｃ）、（ＣＣ）のように、キャンバス山折れ線９から比較的急勾配に山折れして緊張支持され、相対向するキャンバス斜辺５Ａ相互間の間隙幅を狭めると共に、展開時におけるコーナー空間部の体裁性を良くする。
【キャンバス巻取り軸の第３例について】
【００５１】
次に、図２１（Ａ）、（Ｂ）に示す第３例のキャンバス巻取り軸Ｊ３を説明する。
このキャンバス巻取り軸Ｊ３は、第１例や第２例のキャンバス巻取り軸Ｊ１、Ｊ２の場合と異なり、キャンバスＧ１〜Ｇ４を巻き取り収納するケーシング１１を必須構成とする場合であって、軸長をケーシング１１の１／２〜２／３程度とするインナー回転軸１２Ａの先端部をエンドキャップ１５に片持ち支持し、当該インナー回転軸１２Ａにアウターローラ１３を摺動案内自在に嵌挿支持している。
５８はアウターローラ１３の後端部に固定したスライド軸受であって、当該スライド軸受５８がケーシング１１の内壁面に案内されて前後方向へ摺動する。
そこで、キャンバスＧ１〜Ｇ４を巻き取る際には、インナー回転軸１２Ａとアウターローラ１３を一体的に回転させ、揺動アーム４４，４５をその弾性付勢力に抗して円弧状に後方回転すると共に、キャンバスＧ１〜Ｇ４の緊張力や連結ワイヤ３４，３５の引張力により、アウターローラ１３をケーシング１１の後方へ後退移動しながら巻き取る。
逆に、キャンバスＧ１〜Ｇ４を展開する場合には、揺動アーム４４，４５の弾性付勢力によりフロントバー３６を斜め前方へ押し出すと共に、インナー回転軸１２Ａと一体的に逆回転するアウターローラ１３を、ケーシング１１の先端部へ向けて前進移動し、キャンバス巻取り軸Ｊ３に巻き取られたキャンバスＧ１〜Ｇ４が引き出される。
【キャンバス張出部の密着巻き付け防止装置について】
【００５２】
次の第４例と第５例のキャンバス巻取り軸Ｊ４、Ｊ５や、後記するキャンバス巻取り軸Ｊ１１〜Ｊ１３は、アウターローラ１３の後退移動によって露呈するインナー回転軸１２，１２Ａに、キャンバス張出部Ｒ２，Ｒ３を巻き付ける際の密着巻き付けを防止し、アウターローラ１３の円滑な後退移動を確保するための構成に関する。
【キャンバス巻取り軸の第４例について】
【００５３】
先ず、図２２〜図２４に示す第４例のキャンバス巻取り軸Ｊ４を説明する。
５０は適度な伸縮性と弾力性を備えた合成樹脂製のスライドロープであって、その４本程度をインナー回転軸１２の軸線方向に組み込んでいる。
１８Ａ，１９Ａはインナー回転軸１２の先後両端部に嵌合するエンドキャップであって、そのキャップ本体部から蓋部にかけての外周位置の４箇所には、それぞれのスライドロープ５０をＵ字状に回曲して外側へ折り返すロープ通路１８２，１９２を形成している。
２４Ａ，２５Ａはアウターローラ１３の先後両端部に嵌合するエンドキャップであって、その内側部に形成した案内突条２６１にロープ挿通孔２６３を形成し、また、キャップ本体部には、嵌合溝２７内面の案内突条２７３が係合する案内溝２６４を形成している。
【００５４】
スライドロープ５０をキャンバス巻取り軸Ｊ４に組み付けるには、それをインナー回転軸１２の案内突条１７２の裏面に沿って軸線方向へ挿通した上で、先後位置に嵌合したエンドキャップ１８Ａ，１９Ａのロープ通路１８２，１９２の一方から外側へ一旦引き出し、外側へ折り返した上でインナー回転軸１２の先後位置の案内溝１７１に沿って引き出す。更に、そのロープ端部をアウターローラ１３のエンドキャップ２４Ａ，２５Ａの通孔２６３から引き出し、ロープ両端部にクリップ５０１，５０２を嵌め込んで抜け止め固定する。
その他のスライドロープ５０も同様に組み込み、それによりキャンバス巻取り軸Ｊ４の軸線方向の内外に４本のスライドロープ５０が掛け渡される。
そこで、アウトローラ１３が後退移動すると、それに連動して、先端部のスライドロープ５０がインナー回転軸１２の案内溝１７１に沿って引き出され、後端部に露呈したスライドロープ５０は、インナー回転軸１２の内部に引き込まれる。
これにより、アウターローラ１３の後退移動によって露呈するインナー回転軸１２に巻き取られるキャンバス張出部Ｒ２，Ｒ３が、軸線方向に上半部が露出することで、外径が嵩上げされたスライドロープ５０の外周面に間接的に巻き取られる。
その為、キャンバス張出部Ｒ２，Ｒ３を巻き付ける際の密着巻き付けを惹き起こさないから、アウターローラ１３の円滑な進退移動を確保する。
また、アウターローラ１３の後退移動に連動して、スライドロープ５０がインナー回転軸１２の内部から引き出される為、スライドロープ５０の外周に巻き取られるキャンバス張出部Ｒ２，Ｒ３に対する擦れも防止する。
【キャンバス巻取り軸の第５例について】
【００５５】
次に、図２５〜図２７に示す第５例のキャンバス巻取り軸Ｊ５を説明する。
５６は適度な弾力性と伸縮性を備えた合成樹脂製のスライドベルトであって、その４本程度をインナー回転軸１２の軸線方向に組み込んでいる。
１８Ｂ，１９Ｂはインナー回転軸１２の先後両端部に嵌合するエンドキャップであって、そのキャップ本体部から蓋部にかけての外周位置の４等分位置に、それぞれのスライドベルト５６をＵ字状に回曲して折り返すベルト通路１８３，１９３を形成している。
２４Ｂ，２５Ｂはアウターローラ１３の先後両端部に嵌合するエンドキャップであって、そのキャップ鍔部の４等分位置を切り欠き形成すると共に、キャップ本体部の表面軸方向には、スライドベルト５６を引き込むベルト通路２６５を形成している。
そこで、スライドベルト５６をインナー回転軸１２の案内突条１７２の内側面に沿って、その軸線方向に挿通した上で、エンドキャップ１８Ｂ，１９Ｂのベルト通路１８３，１９３の内側から外側へ一旦引き出して折り返した上で、ベルト通路２６５に沿って引き込み、そのベルト両端部をクリップ５６１，５６２により抜け止め固定する。
その他のスライドベルト５６も同様に組み込み、それにより、キャンバス巻取り軸Ｊ５の内外に４本のスライドベルト５６が掛け渡される。
アウターローラ１３が後退移動すると、それに連動して、スライドベルト５６がインナー回転軸１２の案内突条１７２に沿って軸表面に引き出され、当該スライドベルト５６にキャンバス張出部Ｒ２，Ｒ３が間接的に巻き付けられる。
それにより、アウターローラ３の円滑な進退移動を確保すると共に、キャンバス張出部Ｒ２，Ｒ３に対する擦れが防止される。
【００５６】
尚、前記したキャンバス巻取り軸Ｊ４、Ｊ５を電動化するには、図１７（Ａ）、（Ｂ）に示す電動モータ５４と軸受ソケット５５とエンドキャップ１９Ｃ等の構成部材を、図２３（Ｃ）や図２６（Ｃ）のようにインナー回転軸１２の内部に組み込むか、或いは、ケーシング１１の一方のエンドキャップ１５、１６に電動モータ（図示せず）を組み込むことにより、インナー回転軸１２を電動化することになる。
【コーナーオーニング装置の第２実施例について】
【００５７】
次に、図２８（Ａ）〜（Ｃ）と図２９（Ｄ）、（Ｆ）の斜視図と、図３０（Ａ）〜（Ｆ）の平面図に示す第２実施例のコーナーオーニング装置Ｓ２を説明する。
このオーニング装置Ｓ２は、２段階動作で円弧回転する一対の平行な２段階揺動アームＮ１，Ｎ２を備えた第２例のキャンバス緊張装置Ｋ２と、前記したキャンバス巻取り軸Ｊ１〜Ｊ５のいずれか、或いは、後記するキャンバス巻取り軸Ｊ６〜Ｊ８のいずれかを備えたキャンバス巻取り装置Ｍ１とからなる。
２段階揺動アームＮ１，Ｎ２は、折れ曲げ自在に連結した後部アーム５９と前部アーム６０とからなり、当該揺動アームＮ１，Ｎ２の中間部を連接ロッド６１で連結し、アーム前端部をフロントバー３６のブラケット４８，４９に枢設している。
２段階揺動アームＮ１，Ｎ２の基端部のブラケット４６，４７部分、即ち、後部アーム５９の基端部には、相対的に弱いバネ弾力のものを組み込み、また、後部アーム５９と前部アーム６０の折れ曲げ連結部には、相対的に強いバネ弾力のものを組み込む。
【００５８】
そこで、図２８（Ａ）や図３０（Ａ）に示すように展開したコーナーキャンバスＧ１を、キャンバス巻取り軸Ｊ１〜Ｊ５に巻き取る際には、最初に、弱目のバネ弾力で付勢した後部アーム５９の一対が、その弾性付勢力に抗して後方へ円弧状に従動回転し始め、フロントバー３６を斜め後方へ平行移動しながら、後部アーム５９を図２８（Ａ）〜（Ｃ）や図３０（Ａ）〜（Ｃ）に示す揺動過程を経て壁際部分に折り畳む。
更に、キャンバス巻取り軸Ｊ１〜Ｊ５を巻き取り回転すると、次に、強目のバネ弾力で付勢した前部アーム６０の一対が、その弾性付勢力に抗してフロントバー３６を斜め後方へ平行移動しながら、前部アーム６０を図２９（Ｃ）〜（Ｅ）や図３０（Ｃ）〜（Ｅ）に示す揺動過程を経て壁際部分に折り畳む。
それとは逆に、キャンバス巻取り軸Ｊ１〜Ｊ５を巻き戻す際には、最初に、強目のバネ弾力で付勢した前部アーム６０の一対が、その付勢力により前方の拡開方向へ円弧状に回転し、フロントバー３６を斜め前方に向けて平行移動しながら押し出す。
前部アーム６０が図２８（Ｃ）や図３０（Ｃ）に示すような拡開角度まで揺動すると、次に、弱目のバネ弾力で付勢した後部アーム５９の一対が前方へ回転し、図２８（Ａ）や図３０（Ａ）に示すような拡開角度まで揺動することで、フロントバー３６を更に斜め前方へ向けて平行移動しながら押し出す。
これにより、コーナーキャンバスＧ１がコーナー空間部に展開して覆われる。
従って、２段階揺動アームＮ１，Ｎ２と、その連接ロッド６１とからなるリンク機構により、フロントバー３６を斜め前方のコーナー空間部に向けて２段階で展開作動する場合には、第１例のキャンバス緊張装置Ｋ１に組み込んだ揺動アーム４４，４５の場合に比して、より一段と斜め前方までフロントバー３６を押し出すことを可能とする。
【００５９】
前記の場合、フロントバー３６を押圧付勢する２段階揺動アームＮ１，Ｎ２の基端部と前端部を結ぶ角度が、図３０（Ａ）に図示するような、実用上、大凡７０〜８０度程度の拡開角度に調整され、その内、前部アーム６０が４５〜５０度程度を超えない揺動角度、連接ロッド６１と後部アーム５９のなす揺動角度が１２０度程度を超えないように、必要に応じて適宜のストッパー（図示せず）により回転規制している。
また、第２実施例のオーニング装置Ｓ２の２体を、一方の正面壁Ｗ１と他方の側面壁Ｗ２のコーナー位置に向かい合わせ、それぞれのキャンバス巻取り軸Ｊ１〜Ｊ５を図１８（Ａ）、（Ｂ）に示すような連動構造に構成し、また、第１例のコーナーキャンバスＧ１に代えて、図１９（Ａ）〜（Ｃ）に示すような第２例〜第４例のコーナーキャンバスＧ２〜Ｇ４を伸縮具１０で連結した上で、一方と他方のキャンバス巻取り装置Ｍ１を連動することで、コーナーキャンバスＧ２〜Ｇ４を展開したり、巻き取り収納することもできる。
【コーナーオーニング装置の第３実施例について】
【００６０】
次に、図３１（Ａ）、（Ｂ）の斜視図と、図３２（Ａ）〜（Ｃ）の平面図に示す第３実施例のコーナーオーニング装置Ｓ３を説明する。
このオーニング装置Ｓ３は、伸縮摺動自在な一対の平行な伸縮揺動アームＴ１，Ｔ２を備えた第３例のキャンバス緊張装置Ｋ３と、前記したキャンバス巻取り軸Ｊ１〜Ｊ５のいずれか、或いは、後記するキャンバス巻取り軸Ｊ６〜Ｊ８のいずれかを備えたキャンバス巻取り装置Ｍ１とからなり、その２体を正面壁Ｗ１のコーナー位置と側面壁Ｗ２のコーナー位置に直交状に向かい合わせて取り付ける。
その際、一方と他方のキャンバス巻取り軸Ｊ１〜Ｊ５は、その突き合わせ部を図１８に示すような連動構造に構成し、また、一方と他方のフロントバー３６の先端部を直交状に突き合わせて固定するか、或いは、図３４に示すような連結具６７により固定する。
伸縮揺動アームＴ１，Ｔ２は、後部アーム６２の先端部を前部アーム６３に摺動自在に嵌挿し、内部に組み込んだコイルスプリング６４やゴム弾性体等により伸縮自在に構成され、前部アーム６３の前端部をそれぞれのフロントバー３６のブラケット４８，４９に枢設している。
そして、この揺動アームＴ１，Ｔ２の基端部のブラケット４６，４７部分には、第１例や第２例のキャンバス緊張装置Ｋ１、Ｋ２の場合と同様に、伸縮揺動アームＴ１，Ｔ２を拡開方向へ押圧付勢するスプリング（図示せず）を組み込んでいる。
【００６１】
図３２（Ａ）に示すように、一方と他方に展開したコーナーキャンバスＧ１を、それぞれのキャンバス巻取り軸Ｊ１〜Ｊ５を連動させて巻き取る際には、それぞれの伸縮揺動アームＴ１，Ｔ２が、その弾性付勢力に抗して後方へ向かって従動回転し、キャンバス巻取り軸Ｊ１〜Ｊ５への巻き取りが開始され、それと同時に、一方と他方のフロントバー３６を後退移動しながら、それぞれの正面壁Ｗ１と側面壁Ｗ２に向かって平行移動する。
ところが、一方と他方のフロントバー３６は、その先端部を連結一体化している為、一方と他方の伸縮揺動アームＴ１，Ｔ２は、後方へ円弧状に従動回転しながら、後部アーム６２と前部アーム６３が相対的に摺動することで伸縮しながら後方回転し、やがて図３２（Ｃ）に示すように壁際部分に倒伏状態に畳み込まれ、それと同時に一体化したフロントバー３６をコーナー部分へ引き寄せて壁面格納する。
それとは逆に、図３２（Ｃ）に示すように、一方と他方のキャンバス巻取り軸Ｊ１〜Ｊ５を連動して巻き戻し回転すると、それぞれの伸縮揺動アームＴ１，Ｔ２が、その弾性付勢力により斜め前方の拡開方向へ伸縮しながら回転し、連結一体化したフロントバー３６を斜め前方へ平行移動しながら直線的に押し出すことにより、コーナーキャンバスＧ１がコーナー部分に展開される。
このように、キャンバス緊張装置Ｋ３の伸縮揺動アームＴ１，Ｔ２を回転自在に付勢支持すると共に、そのアーム長さを伸縮可変自在とすることにより、連結一体化したフロントバー３６に、図３３に示すような直交状のコーナー化粧パネル６７Ａを取り付け、それに店舗広告や看板機能を持たせることができる。
【コーナーオーニング装置の第４実施例について】
【００６２】
次に、図３３〜図３６に示す第４実施例のコーナーオーニング装置Ｓ４を説明する。
６５は案内ローラ６６を備えたスライドレールであって、図３５に示すように、枠内部に案内ローラ６６の案内溝３６１を形成したフロントバー３６Ａに、摺動自在に嵌挿支持している。そして、スライドレール６５の中間部寄りの位置と後端位置にブラケット４８，４９をそれぞれ固定し、当該ブラケット４８，４９に揺動アーム４４，４５の前端部を枢設している。
案内ローラ６６は、スライドレール６５の前面中央位置に突設したレール突条６５１に、間隔を隔てて軸受支持され、フロントバー３６Ａの背面上下位置に形成した係合鍔部３６２により抜け止め支持している。
従って、このオーニング装置Ｓ４は、揺動アーム４４，４５の前端部を、フロントバー３６Ａに嵌挿したスライドレール６５に取り付けた第４例のキャンバス緊張装置Ｋ４と、前記したキャンバス巻取り軸Ｊ１〜Ｊ５のいずれか、或いは、後記するキャンバス巻取り軸Ｊ６〜Ｊ８のいずれかを備えたキャンバス巻取り装置Ｍ１とからなり、その２体を正面壁Ｗ１のコーナー位置と側面壁Ｗ２のコーナー位置に直交状に向かい合わせて構成する。
その際、一方と他方のキャンバス巻取り軸Ｊ１〜Ｊ５は、その突き合わせ部を図１８に示すような連動構造に構成し、また、一方と他方のフロントバー３６Ａの先端部を直交状に突き合わせて固定するか、連結具６７により固定一体化する。
そして、揺動アーム４４，４５の基端部のブラケット４６，４７部分には、第１例〜第３例の緊張装置Ｋ１〜Ｋ３の場合と同様に、揺動アーム４４，４５を拡開方向へ押圧付勢するスプリング（図示せず）を組み込んでいる。
【００６３】
図３４に示すように、一方と他方に展開したコーナーキャンバスＧ１を、それぞれのキャンバス巻取り軸Ｊ１〜Ｊ５を連動させて巻き取る際には、それぞれの揺動アーム４４，４５が、その拡開付勢力に抗して後方へ向かって円弧状に従動回転し、キャンバス巻取り軸Ｊ１〜Ｊ５への巻き取りが開始され、同時に一方と他方のフロントバー３６を後退移動しながら、それぞれの正面壁Ｗ１と側面壁Ｗ２に向かって平行移動させる。
ところが、一方と他方のフロントバー３６Ａを、その先端部で連結一体化している為、一方と他方の揺動アーム４４，４５は、後方へ円弧状に回転しながら、図３６の中間過程に示すように、フロントバー３６Ａに対してスライドレール６５を一旦後方へ摺動した上で、前進摺動することで後方回転し、やがて壁際部分に倒伏状態に畳み込まれ、それと同時に一体化したフロントバー３６Ａをコーナー部分へ引き寄せて壁面格納する。
それとは逆に、一方と他方のキャンバス巻取り軸Ｊ１〜Ｊ５を連動して巻き戻し回転すると、それぞれの揺動アーム４４，４５が、その弾性付勢力により斜め前方の拡開方向へ円弧状に回転し、一体化したフロントバー３６Ａを斜め前方のコーナー空間部に向けて平行移動しながら直線的に押し出すことにより、コーナーキャンバスＧ１をコーナー部分に展開させる。
尚、前記の場合、揺動アーム４４の先端部のブラケット４８を、図３４の分離状態に示すように、フロントバー３６Ａの長さより若干短いスライドレール６５の中間部付近に取り付けているが、その長さが半分程度であれば、その短い長さのスライドレール６５の先端部寄りの位置に前記ブラケット４８が取り付けられる。
【コーナーオーニング装置の第５実施例について】
【００６４】
次に、図３７（Ａ）〜（Ｃ）の斜視図と、図３８（Ａ）〜（Ｃ）の平面図に示す第５実施例のコーナーオーニング装置Ｓ５を説明する。
このオーニング装置Ｓ５は、蛙跳び風に屈伸作動する二つ折れ揺動アームＶ１，Ｖ２を備えた第５例のキャンバス緊張装置Ｋ５と、前記したキャンバス巻取り軸Ｊ１〜Ｊ５のいずれか、或いは、後記するキャンバス巻取り軸Ｊ６〜Ｊ８を備えたキャンバス巻取り装置Ｍ１が組み合わせられ、その２体を正面壁Ｗ１のコーナー位置と側面壁Ｗ２のコーナー位置に直交状に向かい合わせて構成する。
その際、一方と他方のキャンバス巻取り軸Ｊ１〜Ｊ５は、その突き合わせ部を図１８に示すような連動構造に構成し、また、一方と他方のフロントバー３６の先端部を直交状に突き合わせて固定するか、或いは、図３４に示す連結具６７により固定する。
二つ折れ揺動アームＶ１，Ｖ２は、二つ折れ自在に連結した後部アーム５９と前部アーム６０とからなり、当該揺動アームＶ１，Ｖ２の二つ折れ連結部に連接ロッド６１を差し渡して連結し、その内、コーナー寄り位置の二つ折れ揺動アームＶ１の前端部を、フロントバー３６の先端部寄りの位置に固定したブラケット４８に枢設し、また、他方の後部寄り位置の二つ折れ揺動アームＶ２の前端部を、フロントバー３６の中間部寄りの位置に固定したブラケット４９に枢設している。
そして、二つ折れ揺動アームＶ１，Ｖ２の基端部のブラケット４６，４７部分、即ち、後部アーム５９の基端部には、それを拡開方向へ押圧付勢するスプリング（図示せず）が組み込まれ、また、後部アーム５９と前部アーム６０の二つ折れ連結部には、当該両アーム５９、６０を拡開方向へ押圧付勢するスプリング（図示せず）が組み込まれる。
【００６５】
図３７（Ａ）や図３８（Ａ）に示すように、一方と他方に展開したコーナーキャンバスＧ１を、それぞれのキャンバス巻取り軸Ｊ１〜Ｊ５を連動させて巻き取る際には、それぞれの二つ折れ揺動アームＶ１，Ｖ２が、その拡開付勢力に抗して斜め後方へ向かって二つ折れしながら後方回転し、それと同時に、連結一体化したフロントバー３６を、コーナー部分を２等分する線と平行な後方へ向けて直線的に後退移動しながら、それぞれの正面壁Ｗ１と側面壁Ｗ２に向かって平行移動する。
やがて壁際部分に倒伏状態に畳み込まれ、それと同時に一体化したフロントバー３６をコーナー部分へ引き寄せて壁面格納する。
それとは逆に、一方と他方のキャンバス巻取り軸Ｊ１〜Ｊ４を連動して巻き戻し回転すると、それぞれの二つ折れ揺動アームＶ１，Ｖ２が、その弾性付勢力により前方の拡開方向へ回転し、一体化したフロントバー３６を斜め前方ヘ向かって平行移動しながら直線的に押し出すことにより、コーナーキャンバスＧ１がコーナー空間部に展開される。
【キャンバス巻取り軸の第６例について】
【００６６】
図３９図（Ａ）、（Ｂ）に示す第６例のキャンバス巻取り軸Ｊ６を説明する。
この巻取り軸Ｊ６は、インナー回転軸１２と一体的に回転するアウターローラ１３を、ラック機構により軸方向へ進退移動するように構成している。
９１はエンドキャップ２５の後端部に嵌め込んだウォーム歯車、９２はケーシング１１後部の内壁面に形成した帯板状のウォームラックであって、当該ラック９２にウォーム歯車９１を噛み合わせている。
従って、インナー回転軸１２とアウターローラ１３が手動装置により一体回転すると、ウォーム歯車９１とウォームラック９２の噛み合いを介してアウターローラ１３が回転しながらその軸線方向へ進退移動し、それと同時に、アウターローラ１３をキャンバス緊張装置Ｋ１〜Ｋ５の緊張力と、連結ワイヤ３４，３５の引張力により、インナー回転軸１２に摺動案内されながら後退移動したり、前進移動する。
それにより、アウターローラ１３にキャンバス本体部Ｒ１が、また、アウターローラ１３の後退移動により露呈したインナー回転軸１２にキャンバス張出部Ｒ２，Ｒ３が巻き取られる。
【００６７】
尚、キャンバス巻取り軸Ｊ６にコーナーキャンバスＧ１が巻き取られたり、巻き戻されることにより、その巻取り径が変動し、巻取り軸Ｊ６の周速度が徐々に速くなったり、遅くなることから、それとの連動状態を確保するため、ウォームラック９２のラック間隔を後方へ向かうに従い徐々に広げることが好ましい。
また、前記の場合には、アウターローラ１３がラック機構により確実に進退移動させることができるから、連結ワイヤ３４，３５を不要とすることができる。
前記以外の構成については、第１例のキャンバス巻取り軸Ｊ１と同様に図示しているが、第２例〜第５例のキャンバス巻取り軸Ｊ２〜Ｊ５のいずれかに前記のようなラック構造を組み込むこともできる。
【キャンバス巻取り軸の第７例について】
【００６８】
図４０図（Ａ）、（Ｂ）に示す第７例のキャンバス巻取り軸Ｊ７を説明する。
この巻取り軸Ｊ７は、アウターローラ１３を摺動回転自在に支持するインナー固定軸１２Ｂと、アウターローラ１３それ自体を正逆回転する電動装置（手動装置でも可）とから構成している。
この点、第1例〜第６例のキャンバス巻取り軸Ｊ１〜Ｊ６では、インナー回転軸１２，１２Ａを手動又は電動装置により正逆回転することで、インナー回転軸１２とアウターローラ１３を一体的に回転しているが、第７例のキャンバス巻取り軸Ｊ７では、アウターローラ１３それ自体を正逆回転する駆動装置を組み込んでいる。
その為、インナーシャフトを回転させる必要性がなくなり、アウターローラ１３を摺動案内でき、その回転を可能とするインナーシャフトであればよく、そのシャフト自体の回転の是非を問わないことになる。それらを考慮した上で、ここでは、インナー回転軸１２，１２Ａに対する用語として、インナー固定軸１２Ｂを採択している。
【００６９】
１６Ａはケーシング１１の後端部に嵌め込んだエンドキャップを兼ねた駆動装置の収納ケースであって、エンドキャップ１５の軸受部１５２と収納ケース１６Ａに突設した軸受部１６２に、インナー固定軸１２Ｂの先後両端部を嵌合固定している。
収納ケース１６Ａには、電動モータ（図示せず）を内蔵しており、その出力軸に駆動歯車６８を嵌め込んでいる。
２４Ｃ，２５Ｃはアウターローラ１３の先後両端部に嵌め込んだ中空状のエンドキャップであって、その内、エンドキャップ２５Ｃの後端部に平歯車６９を嵌合固定している。
７０は歯車回転軸７０１に嵌合固定した３体程度の棒状平歯車（以下、棒歯車という）、７１はケーシング１１の背面天井位置の角隅部に固定した軸受ナットであって、その偏芯角部の通孔７１１に歯車回転軸７０１を貫通すると共に、軸受ナット７１の間に３体の棒歯車７０を回転可能に軸受支持している。
そして、アウターローラ１３に嵌め込んだ平歯車６９を棒歯車７０に噛み合わせ、また、棒歯車７０の後端部を駆動歯車６８に噛み合わせる。
そこで、電動モータにより駆動歯車６８が駆動し、棒歯車７０と平歯車６９の噛み合いを介してアウターローラ１３を回転させ、それと同時に、当該アウターローラ１３がキャンバス緊張装置Ｋ１〜Ｋ５の弾性付勢力やキャンバスＧ１の緊張力と、連結ワイヤ３４，３５の引張力により、インナー固定軸１２Ｂに摺動案内されながら後退移動したり、前進移動する。
それにより、アウターローラ１３にキャンバス本体部Ｒ１が、また、アウターローラ１３の後退移動により露呈したインナー固定軸１２Ｂにキャンバス張出部Ｒ２，Ｒ３が巻き取られる。
【キャンバス巻取り軸の第８例について】
【００７０】
図４１図（Ａ）、（Ｂ）に示す第８例のキャンバス巻取り軸Ｊ８を説明する。
この巻取り軸Ｊ８は、第７例のキャンバス巻取り軸Ｊ７に、アウターローラ１３をラック機構により軸線方向へ進退移動させる場合である。
９３はインナー固定軸１２Ｂの軸方向に間隔を隔てて突設したラックであって、エンドキャップ２５Ｃの内周面に形成した雌ネジ２５２と噛み合わせている。
従って、電動モータが駆動し、棒歯車７０と平歯車６９の噛み合いを介してアウターローラ１３が回転すると同時に、エンドキャップ２５Ｃの雌ネジ２５２が、インナー固定軸１２Ｂのラック９３と噛み合うことで、その上、更に、キャンバス緊張装置Ｋ１〜Ｋ５の弾性付勢力やキャンバスＧ１の緊張力と、連結ワイヤ３４，３５の引張力により、アウターローラ１３がインナー固定軸１２Ｂに摺動案内されて後退移動したり、前進移動する。
それにより、アウターローラ１３にキャンバス本体部Ｒ１が、また、アウターローラ１３の後退移動により露呈したインナー固定軸１２Ｂにキャンバス張出部Ｒ２，Ｒ３が巻き取られる。
【００７１】
前記の場合には、インナー固定軸１２Ｂの軸線方向に、雌ネジ２５２と噛み合うラック９３を形成したが、それに代えて、インナー固定軸１２Ｂの外周面に螺旋状のネジ（図示せず）、即ち、雄ネジを形成し、両者のネジの噛み合いによりアウターローラ１３を進退移動させることもできる。
また、前記雌ネジ２５２に代えて係合突起（図示せず）をエンドキャップ２５Ｃの内部に形成し、当該係合突起と前記雄ネジとを噛み合い係合させることもできる。
尚、前記した第７例と第８例のキャンバス巻取り軸Ｊ７、Ｊ８の場合、収納ケース１６Ａの内部に、駆動歯車６８や棒歯車７０の後端部を直接駆動する手動の駆動装置を組み込むこともできる。
同様に、キャンバス巻取り軸Ｊ７、Ｊ８に、第４例や第５例のキャンバス巻取り軸Ｊ４、Ｊ５に示すスライドロープ５０やスライドベルト５６を組み込めば、それらの場合と同様に、キャンバス張出部Ｒ１、Ｒ２の巻き取り時の密着巻き付けを防止し、アウターローラ１３の円滑な後退移動を損なうこともない。
【コーナーオーニング装置の第６実施例について】
【００７２】
次に、図４２〜図４５に示す第６実施例のコーナーオーニング装置Ｓ６を説明する。
これは、第６例のキャンバス緊張装置Ｋ６に揺動アーム４４，４５の駆動装置を組み込み、キャンバス巻取り装置Ｍ２の主要部を構成する第９例のキャンバス巻取り軸Ｊ９を従動側とする場合である。
そこで、図４４に示す揺動アーム４４，４５の駆動装置を説明する。
４６Ａ，４７Ａは揺動アーム４４，４５の基端部に枢設したブラケット、７２はブラケット４６Ａ，４７Ａを結ぶ線上の正面壁Ｗ１に取り付けた中間ブラケット、７３は揺動アーム４４，４５の基端部に差し渡した回転軸であって、その左右両端位置に嵌挿したウォーム７４１，７４２と、中間部に嵌挿した傘歯車７５１を、それぞれのブラケット４６Ａ，４７Ａ、７２の横軸受部４６１，４７１、７２１の間に嵌め込むと共に、当該横軸受部を貫通した回転軸７３に嵌挿固定している。
７６１，７６２は揺動アーム４４，４５の支軸４４２、４５２の下端部に固定したウォーム歯車であって、ブラケット４６Ａ，４７Ａの縦軸受部４６２，４７２に枢設され、前記ウォーム７４１，７４２と噛み合い係合する。
７５２は傘歯車７５１と噛み合う傘歯車であって、中間ブラケット７２の縦軸受部７２２に嵌挿した回転軸２２の上端部に嵌合固定され、また、回転軸２２の下端部にフック２３を形成している。
従って、フック２３に操作ハンドルを引っ掛けて正逆回転することにより、揺動アーム４４，４５が連動して平行回転する。
【キャンバス巻取り軸の第９例について】
【００７３】
次に、図４５に示す従動側のキャンバス巻取り軸Ｊ９を説明する。
７７はインナー回転軸１２内部の後半位置に挿通したコイルスプリング、７８は円盤状のバネ止めソケットであって、その偏芯位置に明けた通孔７８２にコイルスプリング７７の先端部７７１を、また、その後端部７７２をエンドキャップ１９の偏芯位置に明けた通孔１９２にそれぞれ嵌挿支持する。
７９はコイルスプリング７７を貫挿支持する固定軸であって、エンドキャップ１９の中央通孔１９０からコイルスプリング７７にかけて貫通し、その軸先端部７９１をバネ止めソケット７８の中央通孔７８１に、また、軸後端部７９２をエンドキャップ１６の軸受部１６１の中央通孔にそれぞれ嵌合固定している。
従って、アウターローラ１３を介してインナー回転軸１２が回転すると、当該回転軸１２のエンドキャップ１９を介してコイルスプリング７７が徐々に圧縮され、当該コイルスプリング７７に弾性エネルギーが蓄積されたり、或いは、蓄積された弾性エネルギーが放出される。
具体的には、キャンバス巻取り軸Ｊ９へのキャンバスＧ１〜Ｇ４の巻き上げが完了した時点で、若干の予圧を残して弾性エネルギーが放出される。
それとは逆に、キャンバスＧ１〜Ｇ４が展開されるに伴って、コイルスプリング７７に弾性エネルギーが徐々に蓄積され、展開完了時に最大の弾性付勢力が蓄積される。
【第６実施例のオーニング装置の作用について】
【００７４】
そこで、図４２と図４３に示すように、展開したコーナーキャンバスＧ１〜Ｇ４をキャンバス巻取り軸Ｊ９に巻き取るには、手動装置のフック２３に操作ハンドル（図示せず）を係合して回転すると、傘歯車７５２、７５１の噛み合いを介して回転軸７３が回転し、それと同時に、両端部のウォーム７４１，７４２とウォーム歯車７６１，７６２の噛み合いを介して、揺動アーム４４，４５が後方に向けて円弧状に回転し、フロントバー３６を斜め後方へ向けて平行移動させる。
その際、フロントバー３６には、展開したコーナーキャンバスＧ１〜Ｇ４を巻き取るに必要充分な弾性エネルギーによる緊張力が働いている。
その為、展開したキャンバスＧ１〜Ｇ４に対する揺動アーム４４，４５による拘束力が弱まると同時に、展開完了時に最大の弾性エネルギーを蓄積しているコイルスプリング７７の弾性付勢力が放出される。
それにより、インナー回転軸１２とアウターローラ１３が一体的に従動回転し、アウトローラ１３に固定したキャンバス頂辺１，１Ａを巻き付ける。
このようにして、駆動側の揺動アーム４４，４５を後方へ向けて回転し、フロントバー３６を斜め後方へ向けて平行に移動させると同時に、連結ワイヤ３４，３５の引張力をアウターローラ１３に対する後方への摺動力に変換することにより、アウターローラ１３をインナー回転軸１２の軸線方向へ後退移動させる。
これにより、キャンバス本体部Ｒ１がアウターローラ１３に巻き取られ、また、キャンバス張出部Ｒ２，Ｒ３が、アウターローラ１３の後退移動に伴って露呈するインナー回転軸１２に巻き取られる。
【００７５】
それとは逆に、キャンバス巻取り軸Ｊ９に巻き取られたキャンバスＧ１〜Ｇ４を、建築物のコーナー空間部に向けて展開する場合には、前記とは逆方向へ操作ハンドルを回転すると、壁際部分に畳み込まれた２体の揺動アーム４４，４５は、その拡開方向へ円弧状に回転し、アーム前端部に取り付けたフロントバー３６を、斜め前方のコーナー空間部へ向けて平行に押し出す。
それに伴って、インナー回転軸１２とアウターローラ１３が一体的に逆回転し、キャンバス巻取り軸Ｊ１に巻き取られたコーナーキャンバスＧ１を巻き戻しながら、コイルスプリング７７を圧縮させることで弾性エネルギーを蓄積する。
また、フロントバー３６に対して作用する揺動アーム４４，４５の回転力や、巻き戻される連結ワイヤ３４，３５の引張力により、アウターローラ１３に対する前進方向への摺動力が作用し、当該アウトローラ１３をインナー回転軸１２に沿って前進移動させながら逆回転する。
斯様に、揺動アーム４４，４５の回転力によるフロントバー３６の斜め前方への押し出しと、インナー回転軸１２とアウターローラ１３の一体的な逆回転と、アウターローラ１３の前進移動により、コーナーキャンバスＧが斜め前方のコーナー空間部へ向けて押し出される。
【キャンバス巻取り軸の第１０例について】
【００７６】
次に、図４６に示す第１０例の従動側のキャンバス巻取り軸Ｊ１０を説明する。
２５Ｃはアウターローラ１３の後端部に嵌合固定したエンドキャップであって、その後端部にパイプシャフト８１を後方に向けて突設している。
８２はパイプシャフト８１に嵌め込んだ蓋板、８３は板バネを渦巻き状に捲回した渦巻きスプリングであって、パイプシャフト８１に嵌挿支持され、その内側部のバネ端部８３１をパイプシャフト８１の切り込みスリット８１１に嵌め込んでいる。
８４はアウターローラ１３の後端部に固定したスライドケースであって、渦巻きスプリング８３の収納ケースとしてパイプシャフト８１に嵌め込まれ、ケーシング１１の内側面に摺動案内されて進退移動する。８４２はスライドケース８４の角隅部に突設した係止部であって、渦巻きスプリング８３の外側部のバネ端部８３２を係止固定する。
８５はパイプシャフト８１の後端部に嵌め込んだ抜け止めワッシャであって、パイプシャフト８１に順次、嵌め込んだ蓋板８２、渦巻きスプリング８３、スライドケース８４を抜け止め支持する。２４１，２５１はインナー固定軸１２Ｂの貫通孔、８２１は蓋板８２の通孔、８４１はスライドケース８４の端部通孔である。
従って、インナー固定軸１２Ｂに摺動案内自在に嵌挿支持したアウターローラ１３が回転すると、当該アウターローラ１３のエンドキャップ２５Ｃを介して渦巻きスプリング８３が徐々に圧縮され、当該スプリング８３に弾性エネルギーが蓄積されたり、或いは、蓄積された弾性エネルギーが放出される。
具体的には、キャンバス巻取り軸Ｊ１０へのキャンバスＧ１〜Ｇ４の巻き取りが完了した時点で、若干の予圧を残して弾性エネルギーが放出される。
それとは逆に、キャンバスＧ１〜Ｇ４が展開されるに伴って、渦巻きスプリング８３に弾性エネルギーが徐々に蓄積され、展開完了時に最大の弾性付勢力が蓄積される。
【００７７】
尚、図４０や図４１に示すキャンバス巻取り軸Ｊ７、Ｊ８を、従動側とする場合には、同図に示す駆動歯車６８を不要とし、収納ケース１６Ａの内部に渦巻きスプリング（図示せず）を、図４６（Ｂ）に示すように組み込み、アウターローラ１３を介して棒歯車７０を従動回転させることで、前記渦巻きスプリングに弾性エネルギーを蓄積したり、放出することで、コーナーキャンバスＧ１〜Ｇ４の巻き取りや巻き戻しに対処することもできる。
【キャンバス巻取り軸の第１１例について】
【００７８】
先ず、第１１例のキャンバス巻取り軸Ｊ１１を示す図４７において、５６Ａはゴム製の伸縮ベルト（ロープでも可）であって、その４本程度をインナー回転軸１２の外表面とアウターローラ１３の内周面の間に組み込んでいる。
そこで、伸縮ベルト５６Ａをインナー回転軸１２の外表面の案内突条１７２と、アウターローラ１３の内周面との間を軸線方向に挿通し、その先後両端部をエンドキャップ２４Ｂ，２５Ｂのベルト通路２６５に沿って引き出し、その内、ベルト先端部を先端部のエンドキャップ１８Ｂのベルト通路１８３を外側から内側へ折り返した上で、当該エンドキャップ１８Ｂの内側位置でクリップ５６１により抜け止め固定する。
また、ベルト後端部をエンドキャップ２５Ｂのベルト通路２６５から引き出した上で、クリップ５６２により抜け止め固定する。
その他の伸縮ベルト５６Ａも同様に組み込み、それにより、インナー回転軸１２の軸線方向に４本の伸縮ベルト５６Ａを掛け渡す。
そこで、アウターローラ１３が後退移動すると、それに連動して、伸縮ベルト５６Ａがインナー回転軸１２の案内突条１７２に沿って引き伸ばされて露呈し、その外周部にキャンバス張出部Ｒ２，Ｒ３が間接的に巻き付けられる。
それにより、アウターローラ１３の円滑な進退移動を確保すると共に、キャンバス張出部Ｒ２，Ｒ３に対する擦れが防止される。
尚、伸縮ベルト５６Ａに代えて伸縮ロープを、図２２〜図２４に示すキャンバス巻取り軸Ｊ４に、前記のように組み付けることもできる。
【キャンバス巻取り軸の第１２例について】
【００７９】
次に、第１２例のキャンバス巻取り軸Ｊ１２を示す図４８（Ａ）、（Ｂ）において、９０はインナー回転軸１２，１２Ａやインナー固定軸１２Ｂの先端部に巻き付けたコイルスプリングであって、キャンバス展開時には、図（Ａ）に示すように前進移動したアウターローラ１３の先端寄りの部位に圧縮状態に収容している。
コーナーキャンバスＧ１〜Ｇ４の巻き取り時には、アウターローラ１３の後退移動に連れて、前記コイルスプリング９０がインナーシャフト１２，１２Ａ、１２Ｂの外周面に引き伸ばされて露呈し、その外周面にキャンバス張出部Ｒ２，Ｒ３が間接的に巻き取られる。
これにより、アウターローラ１３の進退移動が損なわれないようにしている。
【キャンバス巻取り軸の第１３例について】
【００８０】
次に、第１３例のキャンバス巻取り軸Ｊ１３を示す図４９において、９４はインナー回転軸１２，１２Ａやインナー固定軸１２Ｂの前半部分の外周面に貼り付けたシート磁石、９５はコーナーキャンバスＧ１〜Ｇ４のキャンバス斜辺３，５，５Ａ寄りの端縁部に固定したシート磁石である。また、アウターローラ１３は、非磁性体製としている。
そこで、アウターローラ１３の後退移動によって露呈するインナーシャフト１２，１２Ａ、１２Ｂの外周面に、キャンバス張出部Ｒ２，Ｒ３が巻き付けられる際に、キャンバス斜辺３，５，５Ａが磁力反発して磁気浮上することで、その密着巻き付けが防止され、アウターローラ１３の円滑な移動を確保する。
前記の場合、アウターローラ１３の内周面にシート磁石を固定し、インナーシャフト１２，１２Ａ、１２Ｂの外周面の全長に亘ってシート磁石９４を固定することもできる。
その場合には、インナーシャフト１２，１２Ａ、１２Ｂに対してアウターローラ１３が磁気浮上した状態で支持され、当該アウターローラ１３の進退移動時における摺動抵抗を無くするか、大幅に軽減することになり、アウターローラ１３の進退移動を格段に円滑なものとする。
【コーナーキャンバスの他の変形例について】
【００８１】
最後に、コーナーキャンバスＧ１〜Ｇ４の若干の変形例を追記する。
図５０（Ａ）〜（Ｃ）において、８６はキャンバス斜辺３，５，５Ａ寄りの表面側に固定した縁取りシートであって、その膜厚を頂部側からキャンバス裾辺２，２Ａにかけて連続的に徐々に厚く形成している。
そこで、アウターローラ１３の後退移動によって露呈したインナー回転軸１２，１２Ａやインナー固定軸１２Ｂの外周部に、キャンバス張出部Ｒ２，Ｒ３がロール状に巻き付られると、前記シート８６の部分が、図（Ｃ）の断面図に示すように螺旋状の嵩上げ状態に巻き付けられる。
それにより、キャンバス張出部Ｒ２，Ｒ３が、インナー回転軸１２，１２Ａやインナー固定軸１２Ｂの外周面に、密着状態に巻き付けられることが防止され、螺旋状に巻き付けられた縁取りシート８６によるスペーサー機能が発揮され、アウターローラ１３の円滑な移動を確保する。
尚、前記の場合、縁取りシート８６の膜厚を徐々に厚く形成したが、一巻き毎や二巻き毎に、段階的に厚みを増すようにすることもできる。
【００８２】
図５１において、８９はバネ弾性のある帯板状の骨材であって、キャンバス本体部Ｒ１からキャンバス張出部Ｒ２，Ｒ３にかけて横縞状に蜜間隔に並べてキャンバス内部に縫着固定するか、或いは、横縞状に形成した袋通路の内部に挿し込まれる。
従って、骨材８９を組み込んだキャンバスＧ１〜Ｇ４が、アウターローラ１３に巻き付ければ、それより小径のインナーシャフト１２，１２Ａ、１２Ｂと、キャンバス張出部Ｒ２，Ｒ３の外周面との間に、若干の隙間を隔てて巻き付けられる。
その為、アウターローラ１３の円滑な移動を確保すると共に、キャンバス張出部Ｒ２，Ｒ３に対する擦れを防止する。
【００８３】
図５２（Ａ）、（Ｂ）において、８７，８８はキャンバス本体部Ｒ１の四隅部を斜めに結ぶ対角線上に縫着固定した連結ベルトであって、その両端部から突出したベルト端部に通孔８７１，８７２、８８１，８８２を設けている。
そこで、前記コーナーキャンバスＧ１〜Ｇ４のキャンバス頂辺１，１Ａをアウターローラ１３に、キャンバス裾辺２，２Ａをフロントバー３６，３６Ａに取り付ける際に、それぞれの係合孔２７１，２７２、３９，４０にビス（図示せず）をねじ込むことにより固定する。
前記の場合には、キャンバス本体部Ｒ１に連結ベルト８７，８８をＸ字状に固定したが、図５３のように、連結ベルト８７Ａ、８８Ｂを逆Ｖ字状に縫着固定したり、或いは、ベルトに代えてロープとしたり、或いは、連結ワイヤ３４，３５をＸ字状やＶ字状に固定することもできる。
【産業上の利用可能性】
【００８４】
本発明は、前記のようなコーナーオーニング装置を提供したので、各種建築物や骨組構造体等のコーナー部分に対する装飾性や体裁性を飛躍的に高めると共に、コーナーオーニング装置としての技術的な興趣や有用性に富む新規で、斬新な製品を市場に投入することにより、市場の拡大と当業界の活性化に貢献することができる。
【図面の簡単な説明】
【００８５】
【図１】図１〜図１４は、一対の揺動アームを平行回転自在に組み込んでなるコーナーオーニング装置の第1実施例と、その構成部材を示す図であって、その内、図１は、２体のオーニング装置を建築物のコーナー部分に直交状に向かい合わせて展開した状態を示す斜視図であって、一方を正面壁のコーナー位置に、他方を側面壁のコーナー位置にそれぞれ取り付けている。図中、コーナーキャンバスは、通常、不透質であり、隠れて見えない裏側の構成を見せるため、必要に応じてキャンバスを透視状態で示している。また、ケーシングの内部に組み込んでなるキャンバス巻取り軸についても、必要に応じてケーシングを透視して図示している。尚、図面によっては、オーニング装置を矩形基盤や帯板、或いは、Ｌ字形態の枠体に、ほぼ水平状態に取り付けているように立体的に図示しているが、それは図面を描出する上での便宜に基づくことである。また、多くの場合、展開したキャンバスが水平状態ではなく、適宜の前傾状態となるように取り付けられる。
【図２】図１と同様に展開した状態を示す透視図である。
【図３】正面壁のコーナー位置に取り付けた１体のコーナーオーニング装置を示す斜視図であって、当該オーニング装置を見上げた状態を示している。
【図４】図３のコーナーオーニング装置を見下ろした状態の透視図である。
【図５】キャンバス巻取り装置の構成部材を示す分解斜視図であって、具体的には、ケーシング、インナー回転軸、アウターローラ等のキャンバス巻取り軸の構成部材を示しており、図中の右下位置には、アウターローラの端部を拡大し、その底部を上下反転して示している。
【図６】キャンバス巻取り装置の構成部材を示す分解斜視図であって、具体的には、アウターローラ、コーナーキャンバス、フロントバー等の構成部材を示しており、図中、下部位置の左右には、キャンバス本体部の交差通孔に挿通する連結ワイヤの両端部を拡大図示している。
【図７】コーナーキャンバスの基本構成とその各部を示す図であって、その内、図（Ａ）はキャンバスの平面図、図（Ｂ）と図（Ｃ）はワイヤを挿通したキャンバス各部の拡大縦断面図である。
【図８】キャンバス巻取り装置の主要部を拡大した横断平面図である。
【図９】図８の縦断側面図であって、その内、図（Ａ）にはキャンバス巻取り装置の断面図を、図（Ｂ）には駆動装置の断面図をそれぞれ示している。
【図１０】図（Ａ）〜図（Ｄ）は、コーナーキャンバスの巻取り過程を示す平面図であって、その逆順序をキャンバスの展開過程としている。
【図１１】図（Ａ）〜図（Ｄ）は、コーナーキャンバスの巻取り過程を示す斜視図であって、その逆順序をキャンバスの展開過程としている。
【図１２】図１２〜図１４は、本発明のコーナーオーニング装置の２体をコーナー位置に直交状に向かい合わせ、それぞれの後半底部位置に従来構造のオーニング装置の前半部を上下に重ね合わせて取り付け、それぞれのキャンバスを展開した状態を示す斜視図であって、その内、図１２は斜め下方から見上げた図である。
【図１３】組み合わせた図１２のオーニング装置を上方から見た斜視図である。
【図１４】図１３のキャンバスを透視した斜視図である。
【図１５】建築物外回りのコーナー付近に矩形キャンバスを展開した場合を示す概要平面図であって、その内、図（Ａ）にはコーナー部が直交状の場合を、図（Ｂ）にはコーナー部が直交状で面取りした場合を、図（Ｃ）には鈍角状の場合を、図（Ｄ）には鋭角状の場合をそれぞれ示している。
【図１６】建築物のコーナー空間部を含む外回りを、本発明のコーナーキャンバスと従来の矩形キャンバスで覆った場合を示す概要平面図であって、その内、図（Ａ）にはコーナー部が直交状の場合を、図（Ｂ）にはコーナー部が直交状で面取りした場合を、図（Ｃ）には鈍角状の場合を、図（Ｄ）には鋭角状の場合をそれぞれ示している。
【図１７】電動装置を組み込んでなるキャンバス巻取り軸の第２例を示す図であって、その内、図（Ａ）はケーシングを透視した斜視図、図（Ｂ）は各構成部材の分解斜視図である。
【図１８】２体のキャンバス巻取り軸を連動させる手動装置の要部を示す図であって、その内、図（Ａ）は平面図、図（Ｂ）は斜視図である。
【図１９】図（Ａ）〜図（Ｃ）は、コーナーキャンバスの第２例〜第４例と、それを向かい合わせた状態を示す平面図である。
【図２０】図１９（Ａ）〜（Ｃ）に示すコーナーキャンバスを組み込んだコーナーオーニング装置の２体を、向かい合わせて展開した状態を２方向から見た斜視図であって、その内、図（Ａ）と図（ＡＡ）は第２例の場合を、図（Ｂ）と図（ＢＢ）は第３例の場合を、図（Ｃ）と図（ＣＣ）は第４例の場合をそれぞれ示している。
【図２１】キャンバス巻取り軸の第３例を示す斜視図であって、その内、図（Ａ）にはアウターローラがケーシングの前半位置に前進移動した状態を、図（Ｂ）にはアウターローラがケーシングの後半位置まで後退移動した状態をそれぞれ示している。
【図２２】図２２〜図２４は、スライドロープを組み込んでなるキャンバス巻取り軸の第４例を示す図であって、その内、図２２はキャンバス巻取り軸の中間部をカットした斜視図である。
【図２３】キャンバス巻取り軸の各部を示す図であって、その内、図（Ａ）は先端部付近の半断面図、図（Ｂ）は図（Ａ）のＸ−Ｘ線縦断面図、図（Ｃ）はＹ−Ｙ線縦断面図である。
【図２４】キャンバス巻取り軸の構成部材を示す分解斜視図である。
【図２５】図２５〜図２７は、スライドベルトを組み込んでなるキャンバス巻取り軸の第５例を示す図であって、その内、図２５はキャンバス巻取り軸の中間部をカットした斜視図である。
【図２６】キャンバス巻取り軸の各部を示す図であって、その内、図（Ａ）は先端部付近の半断面図、図（Ｂ）は図（Ａ）のＸ−Ｘ線縦断面図、図（Ｃ）はＹ−Ｙ線縦断面図である。
【図２７】キャンバス巻取り軸の構成部材を示す分解斜視図である。
【図２８】図２８〜図３０は、２段階揺動アームを組み込んだコーナーオーニング装置の第２実施例を示す図であって、その内、図２８（Ａ）〜（Ｃ）には、第１段階の巻取り過程の斜視図である。
【図２９】図（Ｄ）、（Ｅ）は、第２段階の巻き取り過程を示す斜視図である。
【図３０】コーナーキャンバスの巻き取りと展開が２段階で行われる場合の過程を示す平面図であって、その内、図（Ａ）〜図（Ｅ）は、キャンバスの巻き取り過程を、その逆順序を展開過程とする場合を示している。
【図３１】伸縮揺動アームを組み込んだコーナーオーニング装置の第３実施例を示す図であって、その内、図（Ａ）はその要部を示す斜視図、図（Ｂ）は伸縮揺動アームの分解斜視図である。
【図３２】図（Ａ）〜（Ｃ）は、キャンバスの最終展開時と、中間展開時と、巻き取り収納時の各過程を示す平面図である。
【図３３】図３３〜図３６は、揺動アームの前端部にスライドレールを取り付けたコーナーオーニング装置の第４実施例を示す図であって、その内、図３３は、フロントバーに化粧パネルを取り付け、従来構造のオーニング装置と組み合わせた状態を示す斜視図である。
【図３４】キャンバスを透視した斜視図であって、その右側下部には、正面側のフロントバーを分離して図示している。
【図３５】フロントバーの要部縦断面を示す斜視図である。
【図３６】キャンバスの巻き取り収納時と、中間展開時と、最終展開時の各過程を示す平面図である。
【図３７】二つ折れ揺動アームを組み込んだコーナーオーニング装置の第５実施例を示す斜視図であって、その内、図（Ａ）〜（Ｃ）は、コーナーキャンバスの巻き取り過程を、その逆順序を展開過程とする場合を示している。
【図３８】図（Ａ）〜（Ｃ）は、第５実施例のコーナーオーニング装置におけるコーナーキャンバスの巻き取り過程を示す平面図であって、その逆順序を展開過程とする場合を示している。
【図３９】図３９（Ａ）、（Ｂ）〜図４１（Ａ）、（Ｂ）は、キャンバス巻取り軸の第６例〜第８例と、それぞれの駆動装置を示す斜視図と、その構成部材を示す分解図であって、その内、図３９（Ａ）、（Ｂ）に示す第６例の場合は、アウターローラがウォームラックに案内されて移動する。
【図４０】図（Ａ）、（Ｂ）に示す第７例の場合は、アウターローラそれ自体が電動装置で回転する。
【図４１】図（Ａ）、（Ｂ）に示す第８例の場合は、アウターローラがインナー固定軸に形成したラックに案内されて移動する。
【図４２】図４２〜図４５は、キャンバス緊張装置を駆動側とするコーナーオーニング装置の第６実施例と、その構成部材を示す分解斜視図であって、その内、図４２はオーニング装置を見上げた状態を示している。
【図４３】コーナーオーニング装置を見下ろした状態を示している。
【図４４】図（Ａ）、（Ｂ）は、キャンバス緊張装置を示す斜視図と、その駆動装置を示す分解図である。
【図４５】図（Ａ）、（Ｂ）は、コイルスプリングを組み込んだキャンバス巻取り軸の第９例を示す斜視図と、その構成部材を示す分解図である。
【図４６】図（Ａ）、（Ｂ）は、渦巻きスプリングを組み込んだキャンバス巻取り軸の第１０例を示す斜視図と、その構成部材を示す分解図である。
【図４７】伸縮ベルトを組み込むキャンバス巻取り軸の第１１例を示す分解斜視図である。
【図４８】コイルスプリングを組み込んだキャンバス巻取り軸の第１２例を示す斜視図であって、その内、図（Ａ）はアウターローラが前進移動した状態を、図（Ｂ）はアウターローラが後退移動した状態をそれぞれ示している。
【図４９】インナーシャフトの前半部とキャンバス斜辺寄りの端縁部に、磁力反発することで磁気浮上させるシート磁石を組み込んだ場合を示す斜視図である。
【図５０】キャンバス張出部の斜辺寄りに、キャンバス裾辺に掛けて縁取り生地の厚さを連続的に増したコーナーキャンバスを示す斜視図であって、その内、図（Ａ）はキャンバス展開時の状態を、図（Ｂ）はキャンバス巻取り軸への巻き付け状態を、図（Ｃ）は巻き付け時の断面をそれぞれ示している。
【図５１】コーナーキャンバスに帯板状の骨材を横縞状に組み込んだ状態を示す斜視図である。
【図５２】キャンバス本体部に連結ベルトをＸ字状に縫着したコーナーキャンバスを示す斜視図であって、その内、図（Ａ）は連結ベルトを交差して固定した場合を、図（Ｂ）はその分離図を示している。
【図５３】連結ベルトをキャンバス本体部にＶ字状に固定した場合を示している。
【符号の説明】
【００８６】
Ｓ１〜Ｓ６  コーナーオーニング装置    Ｍ１、Ｍ２  キャンバス巻取り装置
Ｋ１〜Ｋ６  キャンバス緊張装置        Ｊ１〜Ｊ１３  キャンバス巻取り軸
Ｗ１  正面壁                          Ｗ２  側面壁
Ｗ３  斜壁                            Ｇ１〜Ｇ４  コーナーキャンバス
Ｒ１  キャンバス本体部                Ｒ２，Ｒ３  キャンバス張出部
Ｐ  矩形キャンバス                    Ｑ  従来のオーニング装置
Ｌ１，Ｌ２  二つ折れ揺動アーム        Ｎ１，Ｎ２  ２段階揺動アーム
Ｔ１，Ｔ２  伸縮揺動アーム            Ｖ１，Ｖ２  二つ折れ揺動アーム
１，１Ａ  キャンバス頂辺              ２，２Ａ  キャンバス裾辺
３，５，５Ａ、８、８Ａ  キャンバス斜辺    ４、６  キャンバス垂辺
７  通孔                              ９  キャンバス山折れ線
１０  伸縮具
１１  ケーシング                      １２，１２Ａ  インナー回転軸
１２Ｂ  インナー固定軸                １３  アウターローラ
１４  キャンバス引出口                １５，１６  エンドキャップ
１６Ａ  収納ケース                    １５１，１６１  軸受部
１７１  案内溝                        １７２  案内突条
１８、１８Ａ、１８Ｂ、１９、１９Ａ〜１９Ｃ  エンドキャップ
１９０、１９２  通孔                  １８１，１９１  支軸
１８２，１９２  ロープ通路            １８３，１９３  ベルト通路
２０  ウォーム歯車                    ２１  ウォーム
２２  ウォーム回転軸                  ２３  フック
２４、２４Ａ〜２４Ｃ、２５、２５Ａ〜２５Ｃ  エンドキャップ
２４１、２５１  貫通孔                ２５２  雌ネジ
２６１  案内突起                      ２６２  案内溝
２６３  通孔                          ２６４  案内溝
２６５  ベルト通路                    ２７  嵌合溝
２７１，２７２  係合孔                ２８，２９  通路
３０、３１、４３  ワイヤ              ３２，３３  交差通路
３２１，３３１  表面引出口            ３２２，３３２  裏面引出口
３４，３５  連結ワイヤ                ３４１，３５１  係合片
３４２，３５２  留め具                ３６，３６Ａ  フロントバー
３７、３８  嵌合溝                    ３９，４０  係合孔
４１  化粧スカ−ト                    ４２  通路
４４，４５  揺動アーム                ４４１、４５１  屈折部
４６、４６Ａ、４７、４７Ａ  ブラケット    ４８，４９  ブラケット
５０  スライドロープ                  ５１  巻取り軸
５２  ケーシング                      ５３  フロントバー
５４  電動モータ                      ５４１  出力軸
５４２  軸部                          ５５  軸受ソケット
５５１  軸孔                          ５６  スライドベルト
５６Ａ  伸縮ベルト                    ５０１，５０２、５６１，５６２  クリップ
５７  コーナーキャップ                ５７１  軸受部
５８  スライド軸受                    ５９  後部アーム
６０  前部アーム                      ６１  連接ロッド
６２  後部アーム                      ６３  前部アーム
６４  コイルスプリング                ６５  スライドレール
６６  ローラ                          ６７  連結具
６７Ａ  化粧パネル                    ６８  駆動歯車
６９  平歯車                          ７０  棒歯車
７０１  回転軸                        ７１  軸受ナット
７１１  通孔                          ７２  中間ブラケット
７３  回転軸                          ７４１，７４２  ウォーム
７５１、７５２  傘歯車                ７６１，７６２  ウォーム歯車
７７  コイルスプリング                ７７１、７７２  先・後端部
７８  バネ止めソケット                ７８１、７８２  通孔
７９  固定軸                          ７９１、７９２  先・後端部
８１  パイプシャフト                  ８１１  スリット
８２  蓋板                            ８２１  通孔
８３  渦巻きバネ                      ８３１、８３２  バネ端部
８４  スライドケース                  ８４１  通孔
８４２  係止部                        ８５  ワッシャ
８６  縁取り生地                      ８７，８８、８７Ａ、８８Ａ  連結ベルト
８９  骨材                            ９０  コイルスプリング
９１  ウォーム歯車                    ９２  ウォームラック
９３  ラック                          ９４、９５  シート磁石
【図１】
2008215072.tif 000003
【図２】
2008215072.tif 000004
【図３】
2008215072.tif 000005
【図４】
2008215072.tif 000006
【図５】
2008215072.tif 000007
【図６】
2008215072.tif 000008
【図７】
2008215072.tif 000009
【図８】
2008215072.tif 000010
【図９】
2008215072.tif 000011
【図１０】
2008215072.tif 000012
【図１１】
2008215072.tif 000013
【図１２】
2008215072.tif 000014
【図１３】
2008215072.tif 000015
【図１４】
2008215072.tif 000016
【図１５】
2008215072.tif 000017
【図１６】
2008215072.tif 000018
【図１７】
2008215072.tif 000019
【図１８】
2008215072.tif 000020
【図１９】
2008215072.tif 000021
【図２０】
2008215072.tif 000022
【図２１】
2008215072.tif 000023
【図２２】
2008215072.tif 000024
【図２３】
2008215072.tif 000025
【図２４】
2008215072.tif 000026
【図２５】
2008215072.tif 000027
【図２６】
2008215072.tif 000028
【図２７】
2008215072.tif 000029
【図２８】
2008215072.tif 000030
【図２９】
2008215072.tif 000031
【図３０】
2008215072.tif 000032
【図３１】
2008215072.tif 000033
【図３２】
2008215072.tif 000034
【図３３】
2008215072.tif 000035
【図３４】
2008215072.tif 000036
【図３５】
2008215072.tif 000037
【図３６】
2008215072.tif 000038
【図３７】
2008215072.tif 000039
【図３８】
2008215072.tif 000040
【図３９】
2008215072.tif 000041
【図４０】
2008215072.tif 000042
【図４１】
2008215072.tif 000043
【図４２】
2008215072.tif 000044
【図４３】
2008215072.tif 000045
【図４４】
2008215072.tif 000046
【図４５】
2008215072.tif 000047
【図４６】
2008215072.tif 000048
【図４７】
2008215072.tif 000049
【図４８】
2008215072.tif 000050
【図４９】
2008215072.tif 000051
【図５０】
2008215072.tif 000052
【図５１】
2008215072.tif 000053
【図５２】
2008215072.tif 000054
【図５３】
2008215072.tif 000055